(57)【要約】【課題】設定時間の自由度を高めつつ、短い測定時間で設定時間における輝度予測値を高い精度で得ることのできる輝度測定装置を提供する。【解決手段】受光部１５と演算部２３と記憶部２２とを備える輝度測定装置１０である。互いに異なる励起照度で励起した標準蓄光材料Ｐｂから得た第１標準特性線Ｐ１および第２標準特性線Ｐ２を用い、記憶部２２には、第１時間Ｔ１の残光輝度に基づく第１要素で示す値と第２時間Ｔ２の残光輝度に基づく第２要素で示す値とで表すことのできる第１標準特性線Ｐ１からの第１準輝度点ｂ１と第２標準特性線Ｐ２からの第２準輝度点ｂ２とを含む直線式としての輝度予測線Ｂｐが格納され、演算部２３は、対象蓄光材料Ｐｄの第１時間Ｔ１での残光輝度に基づく第１要素で示す値を輝度予測線Ｂｐに当てはめることで第２時間Ｔ２での輝度予測値ＣＰを算出する。【選択図】  図１０
2013164276.tif 000002
【特許請求の範囲】
【請求項１】
輝度の取得のための受光部と、該受光部で取得した輝度から所定の時間が経過した後の残光輝度を算出する演算部と、該演算部での残光輝度の算出のためのプログラムを格納する記憶部と、を備える輝度測定装置であって、
標準蓄光材料の遮光を開始した標準遮光時刻を基準とした時間に対する前記標準蓄光材料からの残光輝度に基づく値の相関関係を示す特性線として、少なくとも、所定の励起照度で励起した前記標準蓄光材料から得た第１標準特性線と、該第１標準特性線とは異なる所定の励起照度で励起した前記標準蓄光材料から得た第２標準特性線と、を用い、
前記記憶部には、前記第１標準特性線における前記標準遮光時刻を基準とする第１時間の残光輝度に基づく第１要素で示す値と前記標準遮光時刻を基準として前記第１時間よりも大きい第２時間の残光輝度に基づく第２要素で示す値とで表すことのできる第１準輝度点と、前記第２標準特性線における前記第１時間の残光輝度に基づく前記第１要素で示す値と前記第２時間の残光輝度に基づく前記第２要素で示す値とで表すことのできる第２準輝度点と、を含む直線式としての輝度予測線が格納され、
前記演算部は、測定対象とする対象蓄光材料の遮光を開始した測定開始時刻を基準とする前記第１時間における前記対象蓄光材料の残光輝度を前記受光部から取得すると、取得した残光輝度に基づく前記第１要素で示す値を前記輝度予測線に当てはめることで、前記対象蓄光材料の前記測定開始時刻を基準とする前記第２時間での残光輝度としての輝度予測値を算出することを特徴とする輝度測定装置。
【請求項２】
前記第１要素は、単位時間に対する残光輝度の変化量を示す前記第１時間での傾きであることを特徴とする請求項１に記載の輝度測定装置。
【請求項３】
前記第２要素は、前記第２時間における残光輝度から前記第１時間における残光輝度を減算した変化量であることを特徴とする請求項１または請求項２に記載の輝度測定装置。
【請求項４】
前記演算部は、前記標準蓄光材料とは異なる性質の補正用蓄光材料の残光輝度に基づく値を前記受光部から取得し、その取得した前記補正用蓄光材料の残光輝度に基づく値から、該補正用蓄光材料の遮光を開始した補正作業開始時刻を基準とした時間に対する前記補正用蓄光材料からの残光輝度に基づく値の相関関係を示す補正特性線において、前記補正作業開始時刻を基準とする前記第１時間の残光輝度に基づく前記第１要素で示す値と、前記第２時間の残光輝度に基づく前記第２要素で示す値と、で表すことのできる予測線補正点を算出し、
該予測線補正点を通りつつ前記輝度予測線と等しい傾きの補正輝度予測線を生成し、
前記補正用蓄光材料と等しい性質の前記対象蓄光材料の前記第１時間での残光輝度を前記受光部から取得すると、取得した残光輝度に基づく前記第１要素で示す値を前記補正輝度予測線に当てはめることで、前記対象蓄光材料の前記測定開始時刻を基準とする前記第２時間での残光輝度としての前記輝度予測値を算出することを特徴とする請求項１から請求項３のいずれか１項に記載の輝度測定装置。
【請求項５】
前記受光部による前記補正用蓄光材料の残光輝度に基づく値の取得時間として、前記補正作業開始時刻を基準として前記第１時間よりも大きく前記第２時間よりも小さい第３時間を設定し、
前記第１要素は、単位時間に対する残光輝度の変化量を示す前記第１時間での傾きであり、
前記第２要素は、前記第２時間における残光輝度から前記第１時間における残光輝度を減算した変化量であり、
前記記憶部には、前記輝度予測線として、前記第１標準特性線における前記第１時間の傾きと前記第３時間の残光輝度から前記第１時間の残光輝度を減算した変化量とで表すことのできる第３準輝度点と、前記第２標準特性線における前記第１時間の傾きと前記第３時間の残光輝度から前記第１時間の残光輝度を減算した変化量とで表すことのできる第４準輝度点と、を含む直線式としての第一部輝度予測線と、
前記第１標準特性線における前記第３時間の傾きと前記第２時間の残光輝度から前記第３時間の残光輝度を減算した変化量とで表すことのできる第５準輝度点と、前記第２標準特性線における前記第３時間の傾きと前記第２時間の残光輝度から前記第３時間の残光輝度を減算した変化量とで表すことのできる第６準輝度点と、を含む直線式としての第二部輝度予測線と、が格納されるとともに、
前記第１標準特性線における前記第１時間の傾きと前記第３時間の傾きとで表すことのできる第７準輝度点と、前記第２標準特性線における前記第１時間の傾きと前記第３時間の傾きとで表すことのできる第８準輝度点と、を含む直線式としての傾斜予測線が格納され、
前記演算部は、前記受光部から取得した前記補正用蓄光材料の残光輝度に基づく値から、前記補正特性線において、前記補正作業開始時刻を基準とする前記第１時間での傾きと前記第３時間での傾きとで表すことのできる傾斜予測線補正点を算出し、
該傾斜予測線補正点を通りつつ前記傾斜予測線と等しい傾きの補正傾斜予測線を生成し、
前記受光部から取得した前記補正用蓄光材料の残光輝度に基づく値から、前記補正特性線において、前記補正作業開始時刻を基準とする前記第１時間での傾きと、前記第３時間の残光輝度から前記第１時間の残光輝度を減算した変化量と、で表すことのできる第一部輝度予測線補正点を算出し、
該第一部輝度予測線補正点を通りつつ前記第一部輝度予測線と等しい傾きの補正第一部輝度予測線を生成し、
前記補正用蓄光材料と等しい性質の前記対象蓄光材料の残光輝度を前記受光部から取得すると、取得した残光輝度に基づく前記第１時間での傾きを前記補正傾斜予測線に当てはめることで、前記対象蓄光材料の前記測定開始時刻を基準とする前記第３時間での傾きを算出し、
前記受光部から取得した残光輝度に基づく前記第１時間での傾きを前記補正第一部輝度予測線に当てはめるとともに前記第１時間での残光輝度を用いることで、前記対象蓄光材料の前記測定開始時刻を基準とする前記第３時間での残光輝度を算出し、
算出した前記第３時間での傾きを前記第二部輝度予測線に当てはめるとともに算出した前記第３時間での残光輝度を用いることで、前記対象蓄光材料の前記測定開始時刻を基準とする前記第２時間での残光輝度としての前記輝度予測値を算出することを特徴とする請求項４に記載の輝度測定装置。
【請求項６】
前記標準蓄光材料として、互いに異なる性質の複数の蓄光材料が用意され、
前記第１標準特性線および前記第２標準特性線は、複数の前記標準蓄光材料に対応して複数組用意され、
前記演算部は、複数組の前記第１標準特性線および前記第２標準特性線の中から選択した１組を用いて前記輝度予測値を算出することを特徴とする請求項１から請求項５のいずれか１項に記載の輝度測定装置。
【請求項７】
前記演算部は、残光輝度を逆数として取り扱うことを特徴とする請求項１から請求項６のいずれか１項に記載の輝度測定装置。
【請求項８】
輝度の取得のための受光部と、該受光部で取得した輝度から所定の時間が経過した後の残光輝度を算出する演算部と、該演算部での残光輝度の算出のためのプログラムを格納する記憶部と、を備える輝度測定装置の残光輝度算出方法であって、
標準蓄光材料の遮光を開始した標準遮光時刻を基準とした時間に対する前記標準蓄光材料からの残光輝度に基づく値の相関関係を示す特性線として、少なくとも、所定の励起照度で励起した前記標準蓄光材料から得た第１標準特性線と、該第１標準特性線とは異なる所定の励起照度で励起した前記標準蓄光材料から得た第２標準特性線と、を用い、
前記第１標準特性線における前記標準遮光時刻を基準とする第１時間の残光輝度に基づく第１要素で示す値と前記標準遮光時刻を基準として前記第１時間よりも大きい第２時間の残光輝度に基づく第２要素で示す値とで表すことのできる第１準輝度点と、前記第２標準特性線における前記第１時間の残光輝度に基づく前記第１要素で示す値と前記第２時間の残光輝度に基づく前記第２要素で示す値とで表すことのできる第２準輝度点と、を含む直線式としての輝度予測線が前記記憶部に格納され、
前記演算部が、測定対象とする対象蓄光材料の遮光を開始した測定開始時刻を基準とする前記第１時間における前記対象蓄光材料の残光輝度を前記受光部から取得すると、取得した残光輝度に基づく前記第１要素で示す値を前記輝度予測線に当てはめることで、前記対象蓄光材料の前記測定開始時刻を基準とする前記第２時間での残光輝度としての輝度予測値を算出する工程を含むことを特徴とする残光輝度算出方法。
【請求項９】
前記第１要素は、単位時間に対する残光輝度の変化量を示す前記第１時間での傾きであることを特徴とする請求項８に記載の残光輝度算出方法。
【請求項１０】
前記第２要素は、前記第２時間における残光輝度から前記第１時間における残光輝度を減算した変化量であることを特徴とする請求項８または請求項９に記載の残光輝度算出方法。
【請求項１１】
請求項８から請求項１０のいずれか１項に記載の残光輝度算出方法であって、
前記演算部が、前記標準蓄光材料とは異なる性質の補正用蓄光材料の残光輝度に基づく値を前記受光部から取得し、その取得した前記補正用蓄光材料の残光輝度に基づく値から、該補正用蓄光材料の遮光を開始した補正作業開始時刻を基準とした時間に対する前記補正用蓄光材料からの残光輝度に基づく値の相関関係を示す補正特性線において、前記補正作業開始時刻を基準とする前記第１時間の残光輝度に基づく前記第１要素で示す値と、前記第２時間の残光輝度に基づく前記第２要素で示す値と、で表すことのできる予測線補正点を算出する工程と、
前記演算部が、前記予測線補正点を通りつつ前記輝度予測線と等しい傾きの補正輝度予測線を生成する工程と、
前記演算部が、前記補正用蓄光材料と等しい性質の前記対象蓄光材料の前記第１時間での残光輝度を前記受光部から取得すると、取得した残光輝度に基づく前記第１要素で示す値を前記補正輝度予測線に当てはめることで、前記対象蓄光材料の前記測定開始時刻を基準とする前記第２時間での残光輝度としての前記輝度予測値を算出する工程と、
を含むことを特徴とする残光輝度算出方法。
【請求項１２】
請求項１１に記載の残光輝度算出方法であって、
前記受光部による前記補正用蓄光材料の残光輝度に基づく値の取得時間として、前記補正作業開始時刻を基準として前記第１時間よりも大きく前記第２時間よりも小さい第３時間を設定し、
前記第１要素は、単位時間に対する残光輝度の変化量を示す前記第１時間での傾きであり、
前記第２要素は、前記第２時間における残光輝度から前記第１時間における残光輝度を減算した変化量であり、
前記記憶部には、前記輝度予測線として、前記第１標準特性線における前記第１時間の傾きと前記第３時間の残光輝度から前記第１時間の残光輝度を減算した変化量とで表すことのできる第３準輝度点と、前記第２標準特性線における前記第１時間の傾きと前記第３時間の残光輝度から前記第１時間の残光輝度を減算した変化量とで表すことのできる第４準輝度点と、を含む直線式としての第一部輝度予測線と、
前記第１標準特性線における前記第３時間の傾きと前記第２時間の残光輝度から前記第３時間の残光輝度を減算した変化量とで表すことのできる第５準輝度点と、前記第２標準特性線における前記第３時間の傾きと前記第２時間の残光輝度から前記第３時間の残光輝度を減算した変化量とで表すことのできる第６準輝度点と、を含む直線式としての第二部輝度予測線と、が格納されるとともに、
前記第１標準特性線における前記第１時間の傾きと前記第３時間の傾きとで表すことのできる第７準輝度点と、前記第２標準特性線における前記第１時間の傾きと前記第３時間の傾きとで表すことのできる第８準輝度点と、を含む直線式としての傾斜予測線が格納され、
前記演算部が、前記受光部から取得した前記補正用蓄光材料の残光輝度に基づく値から、前記補正特性線において、前記補正作業開始時刻を基準とする前記第１時間での傾きと前記第３時間での傾きとで表すことのできる傾斜予測線補正点を算出する工程と、
前記演算部が、前記傾斜予測線補正点を通りつつ前記傾斜予測線と等しい傾きの補正傾斜予測線を生成する工程と、
前記演算部が、前記受光部から取得した前記補正用蓄光材料の残光輝度に基づく値から、前記補正特性線において、前記補正作業開始時刻を基準とする前記第１時間での傾きと、前記第３時間の残光輝度から前記第１時間の残光輝度を減算した変化量と、で表すことのできる第一部輝度予測線補正点を算出する工程と、
前記演算部が、前記第一部輝度予測線補正点を通りつつ前記第一部輝度予測線と等しい傾きの補正第一部輝度予測線を生成する工程と、
前記演算部が、前記補正用蓄光材料と等しい性質の前記対象蓄光材料の残光輝度を前記受光部から取得すると、取得した残光輝度に基づく前記第１時間での傾きを前記補正傾斜予測線に当てはめることで、前記対象蓄光材料の前記測定開始時刻を基準とする前記第３時間での傾きを算出する工程と、
前記演算部が、前記受光部から取得した残光輝度に基づく前記第１時間での傾きを前記補正第一部輝度予測線に当てはめるとともに前記第１時間での残光輝度を用いることで、前記対象蓄光材料の前記測定開始時刻を基準とする前記第３時間での残光輝度を算出する工程と、
前記演算部が、算出した前記第３時間での傾きを前記第二部輝度予測線に当てはめるとともに算出した前記第３時間での残光輝度を用いることで、前記対象蓄光材料の前記測定開始時刻を基準とする前記第２時間での残光輝度としての前記輝度予測値を算出する工程と、
を含むことを特徴とする残光輝度算出方法。
【発明の詳細な説明】
【技術分野】
【０００１】
本発明は、蓄光材料の残光輝度を測定するための輝度測定装置に関する。
【背景技術】
【０００２】
建物の内部では、突然の停電により電源の確保が出来なくなった場合であっても、非常口や避難経路等の把握を可能とするために、非常口や避難経路等の標識に蓄光材料を用いること（以下では、蓄光標識ともいう）が考えられている。その蓄光材料は、設置された環境下において太陽光や蛍光灯等の光を吸収することでエネルギーとして蓄え、そのエネルギーを可視光として放出する。この蓄光材料は、光が当たらなくなった後も輝度（以下では、残光輝度ともいう）を有しているものであり、その残光輝度が時間の経過とともに減少していく。
【０００３】
ここで、蓄光標識（その蓄光材料）では、非常口や避難経路等を知らせるものであることから、暗い環境下に置かれてから所定の設定時間が経過した際に、所定の残光輝度を有することが求められることとなる。このため、蓄光標識では、設置された環境下において、光が当たらなくなってから設定時間が経過した際の残光輝度を適切に測定することが望まれている。ところが、このような設定時間としては、例えば日本工業規格においては２０分が定められていることから、設置された蓄光標識毎に２０分かけて残光輝度を測定する必要があり、大変迂遠な測定作業となってしまう。
【０００４】
このため、短い測定時間で、設定時間における残光輝度を得ることのできる輝度測定装置が考えられている（例えば、特許文献１参照）。この輝度測定装置では、光を遮断した初期段階において、第１の時刻から短い時間を置いた第２の時刻までの間の残光輝度の逆数の時間に対する変化（傾き）に基づいて１次近似式を求め、その１次近似式から設定時間における輝度予測値を算出する。このため、当該輝度測定装置では、光を遮断した初期段階である第１の時刻から第２の時刻までの短い測定時間で、設定時間における残光輝度（輝度予測値）を得ることができる。
【先行技術文献】
【特許文献】
【０００５】
【特許文献１】特開２００７−１７０９４４号公報
【発明の概要】
【発明が解決しようとする課題】
【０００６】
しかしながら、上記した輝度測定装置では、光を遮断した初期段階の残光輝度の逆数の時間に対する変化（傾き）から求めた１次近似式を用いるものであることから、第１の時刻および第２の時刻の設定によっては算出した輝度予測値の精度が低くなってしまう虞があるとともに、２０分を超える長い時間や極めて短い時間を設定時間とすると輝度予測値の精度が低くなってしまう虞がある。
【０００７】
本発明は、上記の事情に鑑みて為されたもので、その目的は、設定時間の自由度を高めつつ、短い測定時間で設定時間における輝度予測値を高い精度で得ることのできる輝度測定装置を提供することにある。
【課題を解決するための手段】
【０００８】
請求項１に記載の発明は、輝度の取得のための受光部と、該受光部で取得した輝度から所定の時間が経過した後の残光輝度を算出する演算部と、該演算部での残光輝度の算出のためのプログラムを格納する記憶部と、を備える輝度測定装置であって、標準蓄光材料の遮光を開始した標準遮光時刻を基準とした時間に対する前記標準蓄光材料からの残光輝度に基づく値の相関関係を示す特性線として、少なくとも、所定の励起照度で励起した前記標準蓄光材料から得た第１標準特性線と、該第１標準特性線とは異なる所定の励起照度で励起した前記標準蓄光材料から得た第２標準特性線と、を用い、前記記憶部には、前記第１標準特性線における前記標準遮光時刻を基準とする第１時間の残光輝度に基づく第１要素で示す値と前記標準遮光時刻を基準として前記第１時間よりも大きい第２時間の残光輝度に基づく第２要素で示す値とで表すことのできる第１準輝度点と、前記第２標準特性線における前記第１時間の残光輝度に基づく前記第１要素で示す値と前記第２時間の残光輝度に基づく前記第２要素で示す値とで表すことのできる第２準輝度点と、を含む直線式としての輝度予測線が格納され、前記演算部は、測定対象とする対象蓄光材料の遮光を開始した測定開始時刻を基準とする前記第１時間における前記対象蓄光材料の残光輝度を前記受光部から取得すると、取得した残光輝度に基づく前記第１要素で示す値を前記輝度予測線に当てはめることで、前記対象蓄光材料の前記測定開始時刻を基準とする前記第２時間での残光輝度としての輝度予測値を算出することを特徴とする。
【０００９】
請求項２に記載の発明は、請求項１に記載の輝度測定装置であって、前記第１要素は、単位時間に対する残光輝度の変化量を示す前記第１時間での傾きであることを特徴とする。
【００１０】
請求項３に記載の発明は、請求項１または請求項２に記載の輝度測定装置であって、前記第２要素は、前記第２時間における残光輝度から前記第１時間における残光輝度を減算した変化量であることを特徴とする。
【００１１】
請求項４に記載の発明は、請求項１から請求項３のいずれか１項に記載の輝度測定装置であって、前記演算部は、前記標準蓄光材料とは異なる性質の補正用蓄光材料の残光輝度に基づく値を前記受光部から取得し、その取得した前記補正用蓄光材料の残光輝度に基づく値から、該補正用蓄光材料の遮光を開始した補正作業開始時刻を基準とした時間に対する前記補正用蓄光材料からの残光輝度に基づく値の相関関係を示す補正特性線において、前記補正作業開始時刻を基準とする前記第１時間の残光輝度に基づく前記第１要素で示す値と、前記第２時間の残光輝度に基づく前記第２要素で示す値と、で表すことのできる予測線補正点を算出し、該予測線補正点を通りつつ前記輝度予測線と等しい傾きの補正輝度予測線を生成し、前記補正用蓄光材料と等しい性質の前記対象蓄光材料の前記第１時間での残光輝度を前記受光部から取得すると、取得した残光輝度に基づく前記第１要素で示す値を前記補正輝度予測線に当てはめることで、前記対象蓄光材料の前記測定開始時刻を基準とする前記第２時間での残光輝度としての前記輝度予測値を算出することを特徴とする。
【００１２】
請求項５に記載の発明は、請求項４に記載の輝度測定装置であって、前記受光部による前記補正用蓄光材料の残光輝度に基づく値の取得時間として、前記補正作業開始時刻を基準として前記第１時間よりも大きく前記第２時間よりも小さい第３時間を設定し、前記第１要素は、単位時間に対する残光輝度の変化量を示す前記第１時間での傾きであり、前記第２要素は、前記第２時間における残光輝度から前記第１時間における残光輝度を減算した変化量であり、前記記憶部には、前記輝度予測線として、前記第１標準特性線における前記第１時間の傾きと前記第３時間の残光輝度から前記第１時間の残光輝度を減算した変化量とで表すことのできる第３準輝度点と、前記第２標準特性線における前記第１時間の傾きと前記第３時間の残光輝度から前記第１時間の残光輝度を減算した変化量とで表すことのできる第４準輝度点と、を含む直線式としての第一部輝度予測線と、前記第１標準特性線における前記第３時間の傾きと前記第２時間の残光輝度から前記第３時間の残光輝度を減算した変化量とで表すことのできる第５準輝度点と、前記第２標準特性線における前記第３時間の傾きと前記第２時間の残光輝度から前記第３時間の残光輝度を減算した変化量とで表すことのできる第６準輝度点と、を含む直線式としての第二部輝度予測線と、が格納されるとともに、前記第１標準特性線における前記第１時間の傾きと前記第３時間の傾きとで表すことのできる第７準輝度点と、前記第２標準特性線における前記第１時間の傾きと前記第３時間の傾きとで表すことのできる第８準輝度点と、を含む直線式としての傾斜予測線が格納され、前記演算部は、前記受光部から取得した前記補正用蓄光材料の残光輝度に基づく値から、前記補正特性線において、前記補正作業開始時刻を基準とする前記第１時間での傾きと前記第３時間での傾きとで表すことのできる傾斜予測線補正点を算出し、該傾斜予測線補正点を通りつつ前記傾斜予測線と等しい傾きの補正傾斜予測線を生成し、前記受光部から取得した前記補正用蓄光材料の残光輝度に基づく値から、前記補正特性線において、前記補正作業開始時刻を基準とする前記第１時間での傾きと、前記第３時間の残光輝度から前記第１時間の残光輝度を減算した変化量と、で表すことのできる第一部輝度予測線補正点を算出し、該第一部輝度予測線補正点を通りつつ前記第一部輝度予測線と等しい傾きの補正第一部輝度予測線を生成し、前記補正用蓄光材料と等しい性質の前記対象蓄光材料の残光輝度を前記受光部から取得すると、取得した残光輝度に基づく前記第１時間での傾きを前記補正傾斜予測線に当てはめることで、前記対象蓄光材料の前記測定開始時刻を基準とする前記第３時間での傾きを算出し、前記受光部から取得した残光輝度に基づく前記第１時間での傾きを前記補正第一部輝度予測線に当てはめるとともに前記第１時間での残光輝度を用いることで、前記対象蓄光材料の前記測定開始時刻を基準とする前記第３時間での残光輝度を算出し、算出した前記第３時間での傾きを前記第二部輝度予測線に当てはめるとともに算出した前記第３時間での残光輝度を用いることで、前記対象蓄光材料の前記測定開始時刻を基準とする前記第２時間での残光輝度としての前記輝度予測値を算出することを特徴とする。
【００１３】
請求項６に記載の発明は、請求項１から請求項５のいずれか１項に記載の輝度測定装置であって、前記標準蓄光材料として、互いに異なる性質の複数の蓄光材料が用意され、前記第１標準特性線および前記第２標準特性線は、複数の前記標準蓄光材料に対応して複数組用意され、前記演算部は、複数組の前記第１標準特性線および前記第２標準特性線の中から選択した１組を用いて前記輝度予測値を算出することを特徴とする。
【００１４】
請求項７に記載の発明は、請求項１から請求項６のいずれか１項に記載の輝度測定装置であって、前記演算部は、残光輝度を逆数として取り扱うことを特徴とする。
【００１５】
請求項８に記載の発明は、輝度の取得のための受光部と、該受光部で取得した輝度から所定の時間が経過した後の残光輝度を算出する演算部と、該演算部での残光輝度の算出のためのプログラムを格納する記憶部と、を備える輝度測定装置の残光輝度算出方法であって、標準蓄光材料の遮光を開始した標準遮光時刻を基準とした時間に対する前記標準蓄光材料からの残光輝度に基づく値の相関関係を示す特性線として、少なくとも、所定の励起照度で励起した前記標準蓄光材料から得た第１標準特性線と、該第１標準特性線とは異なる所定の励起照度で励起した前記標準蓄光材料から得た第２標準特性線と、を用い、前記第１標準特性線における前記標準遮光時刻を基準とする第１時間の残光輝度に基づく第１要素で示す値と前記標準遮光時刻を基準として前記第１時間よりも大きい第２時間の残光輝度に基づく第２要素で示す値とで表すことのできる第１準輝度点と、前記第２標準特性線における前記第１時間の残光輝度に基づく前記第１要素で示す値と前記第２時間の残光輝度に基づく前記第２要素で示す値とで表すことのできる第２準輝度点と、を含む直線式としての輝度予測線が前記記憶部に格納され、前記演算部が、測定対象とする対象蓄光材料の遮光を開始した測定開始時刻を基準とする前記第１時間における前記対象蓄光材料の残光輝度を前記受光部から取得すると、取得した残光輝度に基づく前記第１要素で示す値を前記輝度予測線に当てはめることで、前記対象蓄光材料の前記測定開始時刻を基準とする前記第２時間での残光輝度としての輝度予測値を算出する工程を含むことを特徴とする。
【００１６】
請求項９に記載の発明は、請求項８に記載の残光輝度算出方法であって、前記第１要素は、単位時間に対する残光輝度の変化量を示す前記第１時間での傾きであることを特徴とする。
【００１７】
請求項１０に記載の発明は、請求項８または請求項９に記載の残光輝度算出方法であって、前記第２要素は、前記第２時間における残光輝度から前記第１時間における残光輝度を減算した変化量であることを特徴とする。
【００１８】
請求項１１に記載の発明は、請求項８から請求項１０のいずれか１項に記載の残光輝度算出方法であって、前記演算部が、前記標準蓄光材料とは異なる性質の補正用蓄光材料の残光輝度に基づく値を前記受光部から取得し、その取得した前記補正用蓄光材料の残光輝度に基づく値から、該補正用蓄光材料の遮光を開始した補正作業開始時刻を基準とした時間に対する前記補正用蓄光材料からの残光輝度に基づく値の相関関係を示す補正特性線において、前記補正作業開始時刻を基準とする前記第１時間の残光輝度に基づく前記第１要素で示す値と、前記第２時間の残光輝度に基づく前記第２要素で示す値と、で表すことのできる予測線補正点を算出する工程と、前記演算部が、前記予測線補正点を通りつつ前記輝度予測線と等しい傾きの補正輝度予測線を生成する工程と、前記演算部が、前記補正用蓄光材料と等しい性質の前記対象蓄光材料の前記第１時間での残光輝度を前記受光部から取得すると、取得した残光輝度に基づく前記第１要素で示す値を前記補正輝度予測線に当てはめることで、前記対象蓄光材料の前記測定開始時刻を基準とする前記第２時間での残光輝度としての前記輝度予測値を算出する工程と、を含むことを特徴とする。
【００１９】
請求項１２に記載の発明は、請求項１１に記載の残光輝度算出方法であって、前記受光部による前記補正用蓄光材料の残光輝度に基づく値の取得時間として、前記補正作業開始時刻を基準として前記第１時間よりも大きく前記第２時間よりも小さい第３時間を設定し、前記第１要素は、単位時間に対する残光輝度の変化量を示す前記第１時間での傾きであり、前記第２要素は、前記第２時間における残光輝度から前記第１時間における残光輝度を減算した変化量であり、前記記憶部には、前記輝度予測線として、前記第１標準特性線における前記第１時間の傾きと前記第３時間の残光輝度から前記第１時間の残光輝度を減算した変化量とで表すことのできる第３準輝度点と、前記第２標準特性線における前記第１時間の傾きと前記第３時間の残光輝度から前記第１時間の残光輝度を減算した変化量とで表すことのできる第４準輝度点と、を含む直線式としての第一部輝度予測線と、前記第１標準特性線における前記第３時間の傾きと前記第２時間の残光輝度から前記第３時間の残光輝度を減算した変化量とで表すことのできる第５準輝度点と、前記第２標準特性線における前記第３時間の傾きと前記第２時間の残光輝度から前記第３時間の残光輝度を減算した変化量とで表すことのできる第６準輝度点と、を含む直線式としての第二部輝度予測線と、が格納されるとともに、前記第１標準特性線における前記第１時間の傾きと前記第３時間の傾きとで表すことのできる第７準輝度点と、前記第２標準特性線における前記第１時間の傾きと前記第３時間の傾きとで表すことのできる第８準輝度点と、を含む直線式としての傾斜予測線が格納され、前記演算部が、前記受光部から取得した前記補正用蓄光材料の残光輝度に基づく値から、前記補正特性線において、前記補正作業開始時刻を基準とする前記第１時間での傾きと前記第３時間での傾きとで表すことのできる傾斜予測線補正点を算出する工程と、前記演算部が、前記傾斜予測線補正点を通りつつ前記傾斜予測線と等しい傾きの補正傾斜予測線を生成する工程と、前記演算部が、前記受光部から取得した前記補正用蓄光材料の残光輝度に基づく値から、前記補正特性線において、前記補正作業開始時刻を基準とする前記第１時間での傾きと、前記第３時間の残光輝度から前記第１時間の残光輝度を減算した変化量と、で表すことのできる第一部輝度予測線補正点を算出する工程と、前記演算部が、前記第一部輝度予測線補正点を通りつつ前記第一部輝度予測線と等しい傾きの補正第一部輝度予測線を生成する工程と、前記演算部が、前記補正用蓄光材料と等しい性質の前記対象蓄光材料の残光輝度を前記受光部から取得すると、取得した残光輝度に基づく前記第１時間での傾きを前記補正傾斜予測線に当てはめることで、前記対象蓄光材料の前記測定開始時刻を基準とする前記第３時間での傾きを算出する工程と、前記演算部が、前記受光部から取得した残光輝度に基づく前記第１時間での傾きを前記補正第一部輝度予測線に当てはめるとともに前記第１時間での残光輝度を用いることで、前記対象蓄光材料の前記測定開始時刻を基準とする前記第３時間での残光輝度を算出する工程と、前記演算部が、算出した前記第３時間での傾きを前記第二部輝度予測線に当てはめるとともに算出した前記第３時間での残光輝度を用いることで、前記対象蓄光材料の前記測定開始時刻を基準とする前記第２時間での残光輝度としての前記輝度予測値を算出する工程と、を含むことを特徴とする。
【発明の効果】
【００２０】
本発明の輝度測定装置によれば、設定時間の自由度を高めつつ、短い測定時間で設定時間（第２時間）における輝度予測値を高い精度で得ることができる。
【００２１】
上記した構成に加えて、前記第１要素は、単位時間に対する残光輝度の変化量を示す前記第１時間での傾きであることとすると、測定対象とする蓄光材料の第１時間での傾きを取得するだけで、当該蓄光材料の設定時間（第２時間）での輝度予測値を得ることができる。
【００２２】
上記した構成に加えて、前記第２要素は、前記第２時間における残光輝度から前記第１時間における残光輝度を減算した変化量であることとすると、測定対象とする蓄光材料の第１時間での傾きと残光輝度とを取得するだけで、当該蓄光材料の設定時間（第２時間）での輝度予測値を得ることができる。
【００２３】
上記した構成に加えて、前記演算部は、前記標準蓄光材料とは異なる性質の補正用蓄光材料の残光輝度に基づく値を前記受光部から取得し、その取得した前記補正用蓄光材料の残光輝度に基づく値から、該補正用蓄光材料の遮光を開始した補正作業開始時刻を基準とした時間に対する前記補正用蓄光材料からの残光輝度に基づく値の相関関係を示す補正特性線において、前記補正作業開始時刻を基準とする前記第１時間の残光輝度に基づく前記第１要素で示す値と、前記第２時間の残光輝度に基づく前記第２要素で示す値と、で表すことのできる予測線補正点を算出し、該予測線補正点を通りつつ前記輝度予測線と等しい傾きの補正輝度予測線を生成し、前記補正用蓄光材料と等しい性質の前記対象蓄光材料の前記第１時間での残光輝度を前記受光部から取得すると、取得した残光輝度に基づく前記第１要素で示す値を前記補正輝度予測線に当てはめることで、前記対象蓄光材料の前記測定開始時刻を基準とする前記第２時間での残光輝度としての前記輝度予測値を算出することとすると、標準蓄光材料とは異なる性質の補正用蓄光材料の第２時間での補正用測定作業を行うだけで、その補正用蓄光材料と等しい性質の対象蓄光材料の設定時間（第２時間）での輝度予測値を高い精度で得ることができる。
【００２４】
上記した構成に加えて、前記受光部による前記補正用蓄光材料の残光輝度に基づく値の取得時間として、前記補正作業開始時刻を基準として前記第１時間よりも大きく前記第２時間よりも小さい第３時間を設定し、前記第１要素は、単位時間に対する残光輝度の変化量を示す前記第１時間での傾きであり、前記第２要素は、前記第２時間における残光輝度から前記第１時間における残光輝度を減算した変化量であり、前記記憶部には、前記輝度予測線として、前記第１標準特性線における前記第１時間の傾きと前記第３時間の残光輝度から前記第１時間の残光輝度を減算した変化量とで表すことのできる第３準輝度点と、前記第２標準特性線における前記第１時間の傾きと前記第３時間の残光輝度から前記第１時間の残光輝度を減算した変化量とで表すことのできる第４準輝度点と、を含む直線式としての第一部輝度予測線と、前記第１標準特性線における前記第３時間の傾きと前記第２時間の残光輝度から前記第３時間の残光輝度を減算した変化量とで表すことのできる第５準輝度点と、前記第２標準特性線における前記第３時間の傾きと前記第２時間の残光輝度から前記第３時間の残光輝度を減算した変化量とで表すことのできる第６準輝度点と、を含む直線式としての第二部輝度予測線と、が格納されるとともに、前記第１標準特性線における前記第１時間の傾きと前記第３時間の傾きとで表すことのできる第７準輝度点と、前記第２標準特性線における前記第１時間の傾きと前記第３時間の傾きとで表すことのできる第８準輝度点と、を含む直線式としての傾斜予測線が格納され、前記演算部は、前記受光部から取得した前記補正用蓄光材料の残光輝度に基づく値から、前記補正特性線において、前記補正作業開始時刻を基準とする前記第１時間での傾きと前記第３時間での傾きとで表すことのできる傾斜予測線補正点を算出し、該傾斜予測線補正点を通りつつ前記傾斜予測線と等しい傾きの補正傾斜予測線を生成し、前記受光部から取得した前記補正用蓄光材料の残光輝度に基づく値から、前記補正特性線において、前記補正作業開始時刻を基準とする前記第１時間での傾きと、前記第３時間の残光輝度から前記第１時間の残光輝度を減算した変化量と、で表すことのできる第一部輝度予測線補正点を算出し、該第一部輝度予測線補正点を通りつつ前記第一部輝度予測線と等しい傾きの補正第一部輝度予測線を生成し、前記補正用蓄光材料と等しい性質の前記対象蓄光材料の残光輝度を前記受光部から取得すると、取得した残光輝度に基づく前記第１時間での傾きを前記補正傾斜予測線に当てはめることで、前記対象蓄光材料の前記測定開始時刻を基準とする前記第３時間での傾きを算出し、前記受光部から取得した残光輝度に基づく前記第１時間での傾きを前記補正第一部輝度予測線に当てはめるとともに前記第１時間での残光輝度を用いることで、前記対象蓄光材料の前記測定開始時刻を基準とする前記第３時間での残光輝度を算出し、算出した前記第３時間での傾きを前記第二部輝度予測線に当てはめるとともに算出した前記第３時間での残光輝度を用いることで、前記対象蓄光材料の前記測定開始時刻を基準とする前記第２時間での残光輝度としての前記輝度予測値を算出することとすると、標準蓄光材料とは異なる性質の補正用蓄光材料の第２時間よりも短い第３時間での補正用測定作業を行うだけで、その補正用蓄光材料と等しい性質の対象蓄光材料の設定時間（第２時間）での輝度予測値を高い精度で得ることができる。
【００２５】
上記した構成に加えて、前記標準蓄光材料として、互いに異なる性質の複数の蓄光材料が用意され、前記第１標準特性線および前記第２標準特性線は、複数の前記標準蓄光材料に対応して複数組用意され、前記演算部は、複数組の前記第１標準特性線および前記第２標準特性線の中から選択した１組を用いて前記輝度予測値を算出することとすると、用意したそれぞれの蓄光材料と等しい材質の蓄光材料に対して、簡易に高い精度で輝度予測値を算出することができる。
【００２６】
上記した構成に加えて、前記演算部は、残光輝度を逆数として取り扱うこととすると、第１時間での傾きの取得を容易なものとすることができるので、簡易に高い精度で輝度予測値を算出することができる。
【図面の簡単な説明】
【００２７】
【図１】本願発明に係る輝度測定装置の一例としての輝度測定装置１０の構成を模式的に示す説明図であり、（ａ）は上面側を示し、（ｂ）は下面側を示す。
【図２】輝度測定装置１０における制御ブロックを示す説明図である。
【図３】他の条件を等しくしつつ励起照度のみを異なるものとした一例としての時間に対する蓄光材料の残光輝度の推移を示すグラフであり、横軸を蓄光材料の遮光を開始した測定開始時刻Ｔｍを基準（０）とした時間（ｓｅｃ）で示すとともに、縦軸を残光輝度（ｍｃｄ／ｍ２）の逆数（輝度逆数値）で示す。
【図４】図３における１８０秒付近までを拡大して示すグラフである。
【図５】第１標準特性線Ｐ１と第２標準特性線Ｐ２とを示すグラフであり、横軸を蓄光材料の遮光を開始した測定開始時刻Ｔｍを基準（０）とした時間（ｓｅｃ）で示すとともに、縦軸を残光輝度（ｍｃｄ／ｍ２）の逆数（輝度逆数値）で示す。
【図６】輝度予測線Ｂｐを示すグラフであり、横軸を第１時間Ｔ１の傾きで示し、縦軸を第２時間Ｔ２と第１時間Ｔ１との輝度逆数値の変化量で示す。
【図７】輝度予測線ＢｐＡ（９０）と輝度予測線ＢｐＢ（９０）と輝度予測線ＢｐＣ（９０）とを示す図６と同様のグラフであり、横軸を第１時間Ｔ１の傾きで示し、縦軸を第２時間Ｔ２と第１時間Ｔ１との輝度逆数値の変化量で示す。
【図８】輝度予測線ＢｐＡ（６０）と輝度予測線ＢｐＢ（６０）と輝度予測線ＢｐＣ（６０）とを示す図６および図７と同様のグラフであり、横軸を第１時間Ｔ１の傾きで示し、縦軸を第２時間Ｔ２と第１時間Ｔ１との輝度逆数値の変化量で示す。
【図９】輝度予測線ＢｐＡ（２０）と輝度予測線ＢｐＢ（２０）と輝度予測線ＢｐＣ（２０）とを示す図６、図７および図８と同様のグラフであり、横軸を第１時間Ｔ１の傾きで示し、縦軸を第２時間Ｔ２と第１時間Ｔ１との輝度逆数値の変化量で示す。
【図１０】実施例１における演算部２３（制御部２１）にて実行される残光輝度算出制御処理内容を示すフローチャートである。
【図１１】実施例２の輝度測定装置１０Ｂ（演算部２３（制御部２１））における輝度予測線補正制御の概念を説明するための輝度予測線Ｂｐ（Ｂｐ（９０））、予測線補正点Ｃ（Ｃ（９０））および補正輝度予測線ＣＢｐ（ＣＢｐ（９０））を示すグラフであり、横軸を第１時間Ｔ１の傾きで示し、縦軸を第２時間Ｔ２と第１時間Ｔ１との輝度逆数値の変化量で示す。
【図１２】実施例２における演算部２３（制御部２１）にて実行される輝度予測線補正制御処理内容を示すフローチャートである。
【図１３】輝度予測線Ｂｐ（６０）、予測線補正点Ｃおよび補正輝度予測線ＣＢｐ（６０）を示す図１１と同様のグラフであり、横軸を第１時間Ｔ１の傾きで示し、縦軸を第２時間Ｔ２と第１時間Ｔ１との輝度逆数値の変化量で示す。
【図１４】輝度予測線Ｂｐ（２０）、予測線補正点Ｃおよび補正輝度予測線ＣＢｐ（２０）を示す図１１と同様のグラフであり、横軸を第１時間Ｔ１の傾きで示し、縦軸を第２時間Ｔ２と第１時間Ｔ１との輝度逆数値の変化量で示す。
【図１５】実施例３の輝度測定装置１０Ｃにおける第一部輝度予測線Ｂｐ１、第一部輝度予測線補正点Ｃ２および補正第一部輝度予測線ＣＢｐ１を示す図１１と同様のグラフであり、横軸を第１時間Ｔ１の傾きで示し、縦軸を第３時間Ｔ３と第１時間Ｔ１との輝度逆数値の変化量で示す。
【図１６】輝度測定装置１０Ｃにおける第二部輝度予測線Ｂｐ２（Ｂｐ２（９０））を示すグラフであり、横軸を第３時間Ｔ３の傾きで示し、縦軸を第２時間Ｔ２と第３時間Ｔ３との輝度逆数値の変化量で示す。
【図１７】輝度測定装置１０Ｃにおける傾斜予測線Ａｐ、傾斜予測線補正点Ｃ３および補正傾斜予測線ＣＡｐを示す図１５と同様のグラフであり、横軸を第１時間Ｔ１の傾きで示し、縦軸を第３時間Ｔ３の傾きで示す。
【図１８】輝度測定装置１０Ｃにおける第二部輝度予測線Ｂｐ２（６０）を示すグラフであり、横軸を第３時間Ｔ３の傾きで示し、縦軸を第２時間Ｔ２と第３時間Ｔ３との輝度逆数値の変化量で示す。
【図１９】輝度測定装置１０Ｃにおける第二部輝度予測線Ｂｐ２（２０）を示すグラフであり、横軸を第３時間Ｔ３の傾きで示し、縦軸を第２時間Ｔ２と第３時間Ｔ３との輝度逆数値の変化量で示す。
【図２０】は、実施例３における演算部２３（制御部２１）にて実行される第３時間予測線補正制御処理内容を示すフローチャートである。
【図２１】は、実施例３における演算部２３（制御部２１）にて実行される第２残光輝度算出制御処理内容を示すフローチャートである。
【発明を実施するための形態】
【００２８】
以下に、本願発明に係る輝度測定装置の発明の実施の形態について図面を参照しつつ説明する。
【実施例１】
【００２９】
先ず、本願発明に係る輝度測定装置の一例としての輝度測定装置１０の概略的な構成について説明する。図１は、本願発明に係る輝度測定装置の一例としての輝度測定装置１０の構成を模式的に示す説明図であり、（ａ）は上面側を示し、（ｂ）は下面側を示す。図２は、輝度測定装置１０における制御ブロックを示す説明図である。
【００３０】
輝度測定装置１０では、図１に示すように、筐体１１の上面（図１（ａ）を正面視して手前左側の面）に表示部１２が設けられている。この表示部１２は、図示は略すが、測定のための各メニュー等や、測定結果（後述する輝度予測値ＣＰ等）や、後述する記憶部２２に記録された測定結果等を表示する。また、輝度測定装置１０では、筐体１１の側面（図１（ａ）を正面視して手前右側の面）に、電源スイッチ１３と操作部１４とが設けられている。電源スイッチ１３は、輝度測定装置１０を起動するための操作（起動操作）と、輝度測定装置１０を停止するための操作（停止操作）と、をするものである。操作部１４は、測定のための各メニュー等の設定や、残光輝度の測定を開始する操作を行うための操作スイッチである。なお、操作部１４は、図示は略すが、例えば、上面に複数のボタンを設けて構成するものであってもよく、表示部１２にタッチパネルの機能を搭載して当該表示部１２に表示された画面として構成するものであってもよい。
【００３１】
さらに、輝度測定装置１０では、筐体１１において上面の裏側の下面（図１（ｂ）を正面視して手前左側の面）に受光部１５が設けられている。その受光部１５は、受光面で受光した光の光量に応じた大きさ（強度）のアナログ値である信号を出力する。受光部１５は、図１（ｂ）に示すように、筐体１１の下面において、円板状箇所１６の中央に設けられた穴部１６ａの内方に設けられており、その穴部１６ａを経て受光面（図示せず）に進行した光を受光するものとされている。その円板状箇所１６には、外周面を取り囲むように遮光用ゴム１７が設けられている。この遮光用ゴム１７は、明確な図示は略すが、円板状箇所１６が測定対象とする蓄光部材（もしくはその周辺）に宛がわれると、圧縮変形することにより、その内方に存在する円板状箇所１６の中央の穴部１６ａを遮光する。このため、輝度測定装置１０では、穴部１６ａを測定対象とする蓄光部材に対向させつつ当該蓄光部材（その周辺）に円板状箇所１６を宛がうことにより、外部からの光の進入を防止しつつ穴部１６ａを経た蓄光部材からのりん光（その輝度（残光輝度））を受光部１５で適切に測定することができる。なお、残光輝度を測定する場合、測定対象とする蓄光部材を遮光すると同時に受光部１５による測定（受光）を開始する必要がある。
【００３２】
この輝度測定装置１０は、図２に示すように、上述した表示部１２と操作部１４と受光部１５とを統括的に制御する制御部２１を有する。この制御部２１は、生成した測定データや後述する算出した輝度予測値ＣＰを表示部１２に表示させる表示処理や、操作部としての電源スイッチ１３および操作部１４に為された操作に基づく駆動処理や、受光部１５からの信号に基づく測定データの生成処理を、記憶部２２に格納されたプログラムにより統括的に行う。この制御部２１には、操作部１４から、そこに為された操作に応じた信号が入力される。また、制御部２１には、円板状箇所１６の穴部１６ａを経て受光部１５（その受光面）で受光した光の光量に応じた大きさ（強度）の信号が、その受光部１５から入力される。
【００３３】
また、制御部２１は、上記した基本的な制御の他に、演算部２３において、輝度予測値ＣＰを算出することが可能とされている。その演算部２３は、受光部１５から入力された信号（りん光の輝度（残光輝度））としての信号に基づいて、輝度予測値ＣＰを算出する。次に、この演算部２３（輝度測定装置１０）における輝度予測値ＣＰの算出の方法について説明する。
【００３４】
輝度測定装置１０は、上述したように、受光部１５で蓄光材料から放出されるりん光の輝度（残光輝度）を測定することを目的の１つとする。その蓄光材料は、照射された光を吸収することでエネルギーとして蓄え、そのエネルギーを可視光として放出する。蓄光材料は、光が当たらなくなった後も輝度を有しているものであり、光が当たらなくなった後の輝度をこの明細書では残光輝度ともいう。蓄光材料では、成分により値は異なるものの、残光輝度が時間の経過とともに減少していく特性を有している。この特性は、他の条件を等しいものとすると、等しい成分（材質）で構成された等しい性質の蓄光材料においては、互いに等しいものとなる、すなわち再現性がある。
【００３５】
このため、本発明に係る輝度測定装置１０は、基本的に、この特性を利用することで、蓄光材料の遮光を開始した測定開始時刻Ｔｍを基準として、短い測定時間であってもその測定時間よりも大きな所望の時間（所定の設定時間）における残光輝度を輝度予測値ＣＰとして求める。ここで、励起照度が異なる場合、同一（等しい性質）の蓄光材料であっても特性の値が変化してしまうことが知られている（図３参照）。その励起照度とは、りん光として放出されるエネルギーを蓄光材料に蓄えさせるべく、一定の条件下で当該蓄光材料を照射する光の照度をいう。この特性の値が変化する一例を、同一の蓄光材料に対して複数の異なる励起照度で励起した後に、その蓄光材料を遮光した際の残光輝度の時間に対する変化を表す図３および図４に示す。
【００３６】
この図３は、他の条件を等しくしつつ励起照度のみを異なるものとした一例としての時間に対する蓄光材料の残光輝度の推移を示すグラフであり、横軸を蓄光材料の遮光を開始した測定開始時刻Ｔｍを基準（０）とした時間（ｓｅｃ）で示すとともに、縦軸を残光輝度（ｍｃｄ／ｍ２）の逆数（以下では、輝度逆数値ともいう）で示している。図４は、図３における１８０秒付近までを拡大して示すグラフである。この図３および図４では、７つの励起照度ｅｌａ〜ｅｌｇ（ｌｕｘ）の特性線を示しており、各励起照度（その数値）はｅｌａ＜ｅｌｂ＜ｅｌｃ＝ｅｌｄ＜ｅｌｅ＜ｅｌｆ＜ｅｌｇの関係性を有するものとしている。図３および図４では、励起照度ｅｌａの条件下の特性線を符号ｌ１で示し、励起照度ｅｌｂの条件下の特性線を符号ｌ２で示し、励起照度ｅｌｃの条件下の特性線を符号ｌ３で示し、励起照度ｅｌｄの条件下の特性線を符号ｌ４で示し、励起照度ｅｌｅの条件下の特性線を符号ｌ５で示し、励起照度ｅｌｆの条件下の特性線を符号ｌ６で示し、励起照度ｅｌｇの条件下の特性線を符号ｌ７で示している。また、図３および図４では、励起照度が等しい一例として励起照度ｅｌｃおよび励起照度ｅｌｄを２００（ｌｕｘ）として、２つの２００（ｌｕｘ）の特性線（符号ｌ３およびｌ４参照）を示している。
【００３７】
この図３および図４の符号ｌ１、ｌ２、ｌ４〜ｌ７で示す特性線からも明らかなように、同一（等しい性質）の蓄光材料であって他の条件が等しくても、励起照度が異なると異なる特性を示す。また、符号ｌ３および符号ｌ４で示す特性線からも明らかなように、同一（等しい性質）の蓄光材料であって他の条件が等しい場合、励起照度が等しいと略同一の特性を示す、すなわち再現性がある。
【００３８】
ここで、輝度測定装置１０は、建物の内部に設けられ、蓄光材料が用いられた非常口や避難経路等の標識（以下では、蓄光標識ともいう）における残光輝度が十分なものであるか否かを測定することを目的の１つとしている。そのような蓄光標識では、設置された環境下において太陽光や蛍光灯等の光を吸収することで蓄えたエネルギーを、暗い環境下でりん光として放出することとなる。このため、蓄光標識の残光輝度が十分であるか否かを測定することは、蓄光標識が設置された環境下において励起照度として十分な太陽光や蛍光灯等の光を吸収することができているか否かを測定することとなる。このため、輝度測定装置１０では、蓄光標識での所望の時間（所定の設定時間）における残光輝度を、当該蓄光標識への励起照度の差異を適切に反映させた輝度予測値ＣＰとして取得することが求められる。このことから、これらの特性線（符号ｌ１〜ｌ７）は、等しい励起照度で励起された蓄光材料を除くと、所望の時間（所定の設定時間）における輝度予測値を算出する算出式として用いることはできない。
【００３９】
また、図３および図４の符号ｌ１〜ｌ７で示す特性線からも明らかなように、励起照度の差異に拘らず、測定開始時刻Ｔｍからの時間の経過に伴って、変化の態様が変わっていくことがわかる。詳細には、遮光後初期（図３および図４の例では０（ｓｅｃ）（測定開始時刻Ｔｍ）から１８０（ｓｅｃ）まで）では、特性線の傾きが時間の経過とともに小さくなり（傾きの微分値がマイナス）、かつその傾きの変化率が中期および後期に比較して大きなものとなっている。また、遮光後中期（図３の例では１８０（ｓｅｃ）から１２００（ｓｅｃ）まで）では、特性線の傾きが時間の経過に拘らず略一定である（傾きの微分値が略０（ゼロ））。さらに、遮光後後期（図３の例では１２００（ｓｅｃ）以降）では、特性線の傾きが時間の経過とともに大きくなり（傾きの微分値がプラス）、かつその傾きの変化率が遮光後初期よりは小さなものとなっている。このため、これらの特性線（符号ｌ１〜ｌ７）から一部の時間帯から傾きを抽出して求めた算出式では、その傾きを抽出した時間帯の設定や所望の時間（所定の設定時間）の設定によっては、算出した輝度予測値の精度が低くなってしまう。詳細には、遮光後中期から傾きを抽出して算出式を求めるとともに、その遮光後中期に所望の時間（所定の設定時間）を設定する場合を除くと、当該算出式で適切な輝度予測値を算出することはできない。
【００４０】
このことを鑑みて、本発明に係る輝度測定装置１０では、以下のような構成としている。先ず、標準蓄光材料Ｐｂを、他の条件を等しくするとともに異なる２つの励起照度ｅｌ１および励起照度ｅｌ２で励起し、その後にそれぞれの標準蓄光材料Ｐｂを遮光して所定の時間だけ残光輝度（ｍｃｄ／ｍ２）を測定する。この標準蓄光材料Ｐｂは、後述する測定対象とする対象蓄光材料Ｐｄと等しい性質とされているものを選定している。また、所定の時間は、実施例１では、後述するように輝度測定装置１０における仕様に応じて９０分（５４００秒）としている。なお、この測定では、測定値の精度を高めるために、温度と湿度とを極めて高い精度で管理することが望ましい。また、この測定では、一例として、励起照度ｅｌ１よりも励起照度ｅｌ２を大きな数値（ｌｕｘ）としている。
【００４１】
この測定から、励起照度ｅｌ１で励起した標準蓄光材料Ｐｂの遮光を開始した標準遮光時刻Ｔｓを基準とした時間に対する残光輝度の変化の態様を示す第１標準特性線Ｐ１と、励起照度ｅｌ２で励起した標準蓄光材料Ｐｂの遮光を開始した標準遮光時刻Ｔｓを基準とした時間に対する残光輝度の変化の態様を示す第２標準特性線Ｐ２と、を得ることができる（図５参照）。実施例１では、第１標準特性線Ｐ１と第２標準特性線Ｐ２とを、図５に示すように、横軸を標準蓄光材料Ｐｂの遮光を開始した標準遮光時刻Ｔｓを基準（０）とした時間（ｓｅｃ）で示すとともに、縦軸を残光輝度（ｍｃｄ／ｍ２）の逆数（輝度逆数値）で示している。
【００４２】
次に、第１時間Ｔ１と第２時間Ｔ２とを設定する。この第１時間Ｔ１は、輝度測定装置１０における仕様として、使用者が実際に測定対象とする対象蓄光材料Ｐｄ（例えば設置された蓄光標識）の測定を行う時間である。また、第２時間Ｔ２は、輝度測定装置１０における仕様として、対象蓄光材料Ｐｄの残光輝度（輝度予測値ＣＰ）を得ることのできる所望の時間（所定の設定時間）である。このため、輝度測定装置１０では、対象蓄光材料Ｐｄに対して第１時間Ｔ１の測定を行うことで、第２時間Ｔ２における対象蓄光材料Ｐｄの残光輝度としての輝度予測値ＣＰを得ることができることとなる。その第１時間Ｔ１は、実施例１では、使用者の使い勝手を向上させる観点から１分間（６０秒）に設定している。また、第２時間Ｔ２は、実施例１では、２０分（１２００秒）と６０分（３６００秒）と９０分（５４００秒）とに設定している。ここで、上述したように、第１標準特性線Ｐ１と第２標準特性線Ｐ２とを得るための所定の時間を９０分（５４００秒）としたのは、輝度測定装置１０の第２時間Ｔ２の設定として最も大きな値を９０分（５４００秒）としていることによる。
【００４３】
次に、第１標準特性線Ｐ１から、第１時間Ｔ１の残光輝度に基づく第１要素で示す値と、第２時間Ｔ２の残光輝度に基づく第２要素で示す値と、を取得する。この第１要素は、標準蓄光材料Ｐｂの遮光を開始した標準遮光時刻Ｔｓを基準（０）とした時間（ｓｅｃ）に対する残光輝度（ｍｃｄ／ｍ２）の相関関係を示す特性線において、第１時間Ｔ１の残光輝度から一意的に値を決定するものである。第１要素としては、残光輝度や、残光輝度の逆数（輝度逆数値）や、単位時間あたりの残光輝度の変化量を示す傾きや、単位時間あたりの輝度逆数値の変化量を示す傾き等があげられる。この第１要素は、実施例１では、単位時間あたりの残光輝度の変化量を示す第１時間Ｔ１での傾きとしている。
【００４４】
また、第２要素は、標準蓄光材料Ｐｂの遮光を開始した標準遮光時刻Ｔｓを基準（０）とした時間（ｓｅｃ）に対する残光輝度（ｍｃｄ／ｍ２）の相関関係を示す特性線において、第２時間Ｔ２の残光輝度から一意的に値を決定するものである。第２要素としては、残光輝度や、残光輝度の逆数（輝度逆数値）や、単位時間あたりの残光輝度の変化量を示す傾きや、単位時間あたりの輝度逆数値の変化量を示す傾きや、第２時間Ｔ２の残光輝度から第１時間Ｔ１の残光輝度を減算した残光輝度の変化量や、第２時間Ｔ２の輝度逆数値から第１時間Ｔ１の輝度逆数値を減算した輝度逆数値の変化量等があげられる。この第２要素は、実施例１では、第２時間Ｔ２の輝度逆数値から第１時間Ｔ１の輝度逆数値を減算して得られる、第２時間Ｔ２と第１時間Ｔ１との輝度逆数値の変化量としている。
【００４５】
このため、図５に示すように、第１標準特性線Ｐ１から、第１時間Ｔ１（実施例１では１分）における傾き（第１標準特性線Ｐ１上の点ｄ１１参照）と、第１時間Ｔ１における輝度逆数値（点ｄ１１参照）と、第２時間Ｔ２（図５の例では９０分）における輝度逆数値（第１標準特性線Ｐ１上の点ｄ１２参照）と、を取得する。この取得した各値に基づいて、図６に示すように、横軸を第１時間Ｔ１の傾きとし、縦軸を第２時間Ｔ２と第１時間Ｔ１との輝度逆数値の変化量として示すグラフ上で、１つの点（第１準輝度点ｂ１）を得ることができる。その第１準輝度点ｂ１は、第１標準特性線Ｐ１から得られた第１時間Ｔ１における傾きと、第１標準特性線Ｐ１から得られた第２時間Ｔ２の輝度逆数値から第１時間Ｔ１の輝度逆数値を減算して得られる輝度逆数値の変化量と、で表したものである。
【００４６】
同様に、図５に示すように、第２標準特性線Ｐ２から、第１時間Ｔ１における傾き（第２標準特性線Ｐ２上の点ｄ２１参照）と、第１時間Ｔ１における輝度逆数値（点ｄ２１参照）と、第２時間Ｔ２における輝度逆数値（第２標準特性線Ｐ２上の点ｄ２２参照）と、を取得する。この取得した各値に基づいて、図６のグラフ上において、第２標準特性線Ｐ２から得られた第１時間Ｔ１における傾きと、第２標準特性線Ｐ２から得られた第２時間Ｔ２の輝度逆数値から第１時間Ｔ１の輝度逆数値を減算して得られる輝度逆数値の変化量と、で表すことのできる第２準輝度点ｂ２を得ることができる。
【００４７】
すると、この第１準輝度点ｂ１および第２準輝度点ｂ２から、第１準輝度点ｂ１と第２準輝度点ｂ２とを含む直線式（Ｂｐ）を求めることができる。この直線式を輝度予測線Ｂｐとする。この輝度予測線Ｂｐは、次のような特徴を有している。輝度予測線Ｂｐは、上述したように、励起照度ｅｌ１の条件下の第１標準特性線Ｐ１から得た第１準輝度点ｂ１と、励起照度ｅｌ２の条件下の第２標準特性線Ｐ２から得た第２準輝度点ｂ２と、を含む直線であるが、他の励起照度で励起された標準蓄光材料Ｐｂの遮光を開始した標準遮光時刻Ｔｓを基準とした時間に対する残光輝度の相関関係を示す特性線（図示せず）から得た準輝度点に相当する各点（符号ｐ１からｐ５参照）も含むものとされている。図６では、図３および図４で用いた各励起照度と同様の励起照度を用いており、励起照度ｅｌｂ（ｌｕｘ）の条件下の特性線（図示せず）から得られたものを点ｐ１で示し、励起照度ｅｌｃ（ｅｌｄ）（ｌｕｘ）の条件下の特性線（図示せず）から得られたものを点ｐ２および点ｐ３で示し、励起照度ｅｌｅ（ｌｕｘ）の条件下の特性線（図示せず）から得られたものを点ｐ４で示し、励起照度ｅｌｆ（ｌｕｘ）の条件下の特性線（図示せず）から得られたものを点ｐ５で示している。この点ｐ１〜点ｐ５は、いずれも輝度予測線Ｂｐ上に存在している。このため、輝度予測線Ｂｐは、励起照度の差異に拘らず、標準蓄光材料Ｐｂにおける第１時間Ｔ１での傾きと、第２時間Ｔ２と第１時間Ｔ１との輝度逆数値の変化量と、の相関関係を示していることとなる。換言すると、輝度予測線Ｂｐは、第１時間Ｔ１での傾きに対して、標準蓄光材料Ｐｂへの励起照度の差異を適切に反映させた第２時間Ｔ２と第１時間Ｔ１との輝度逆数値の変化量を示していることとなる。また、等しい性質の蓄光材料では、上述したように、他の条件を等しいものとすると互いに等しいすなわち再現性がある特性を示すことから、輝度予測線Ｂｐは、励起照度の差異に拘らず、標準蓄光材料Ｐｂと等しい材質からなる蓄光材料における第１時間Ｔ１での傾きと、第２時間Ｔ２と第１時間Ｔ１との輝度逆数値の変化量と、の相関関係を示すこととなる。
【００４８】
また、輝度予測線（輝度予測線Ｂｐ）は、第１時間Ｔ１および第２時間Ｔ２のいずれか一方もしくは双方が変化すると、異なる直線式（線分）となる。例えば、第１時間Ｔ１を１分としかつ第２時間Ｔ２を９０分とした際の輝度予測線（９０）と、第１時間Ｔ１を１分としかつ第２時間Ｔ２を２０分とした際の輝度予測線（２０）と、では、互いに異なる直線式（線分）となる（図７から図９参照）。しかしながら、輝度予測線（輝度予測線Ｂｐ）は、それら第１時間Ｔ１および第２時間Ｔ２のそれぞれの設定値に拘らず、標準蓄光材料Ｐｂと等しい材質からなる蓄光材料における第１時間Ｔ１での傾きと、第２時間Ｔ２と第１時間Ｔ１との輝度逆数値の変化量と、の相関関係を示す。
【００４９】
このことから、輝度予測線Ｂｐを用いることにより、標準蓄光材料Ｐｂと等しい性質の蓄光材料であれば、当該蓄光材料を遮光し、その遮光開始した時点から第１時間Ｔ１が経過した時点での傾きｄａおよび残光輝度（輝度逆数値ｄｒ）を取得することで、第２時間Ｔ２における残光輝度としての輝度予測値ＣＰを得ることができる。詳細には、取得した第１時間Ｔ１での傾きｄａを輝度予測線Ｂｐに当てはめることにより、第２時間Ｔ２と第１時間Ｔ１との輝度逆数値の変化量ｄｄを得ることができる。この変化量ｄｄは、上記蓄光材料（その残光輝度特性）における第２時間Ｔ２の輝度逆数値と第１時間Ｔ１との輝度逆数値の差分であることから、当該蓄光材料から取得した第１時間Ｔ１での残光輝度を逆数とした輝度逆数値ｄｒを加算することにより、当該蓄光材料における第２時間Ｔ２の輝度逆数値を得ることができる。このため、そのように得た輝度逆数値を逆数とすることにより、当該蓄光材料における第２時間Ｔ２の残光輝度としての輝度予測値ＣＰを算出することができる。
【００５０】
ここで、輝度測定装置１０では、上述した標準蓄光材料Ｐｂとして、性質の異なる複数の種類の蓄光材料が選定されており、それぞれに対して輝度予測線Ｂｐが生成されて記憶部２２に予め格納されている。実施例１では、この一例として、３つの標準蓄光材料Ｐｂ（以下では、個別に述べる際には標準蓄光材料ＰｂＡ、標準蓄光材料ＰｂＢ、標準蓄光材料ＰｂＣとする（図７から図９参照））が用意されており、それぞれに対して輝度予測線Ｂｐ（以下では、個別に述べる際には輝度予測線ＢｐＡ、輝度予測線ＢｐＢ、輝度予測線ＢｐＣとする（図７から図９参照））が生成されて記憶部２２（図２参照）に予め格納されている。この各標準蓄光材料Ｐｂは、蓄光材料として一般的に使用されている（広く流通されている）ものを選定している。
【００５１】
また、輝度測定装置１０では、上述したように、残光輝度（輝度予測値ＣＰ）を得ることのできる所望の時間（所定の設定時間）である第２時間Ｔ２として、２０分（１２００秒）と６０分（３６００秒）と９０分（５４００秒）とを設定していることから、第１時間Ｔ１を１分とし第２時間Ｔ２を９０分とする輝度予測線Ｂｐ（９０）（図７のＢｐＡ（９０）、ＢｐＢ（９０）およびＢｐＣ（９０）参照）と、第１時間Ｔ１を１分とし第２時間Ｔ２を６０分とする輝度予測線Ｂｐ（６０）（図８のＢｐＡ（６０）、ＢｐＢ（６０）およびＢｐＣ（６０）参照）と、第１時間Ｔ１を１分とし第２時間Ｔ２を２０分とする輝度予測線Ｂｐ（２０）（図９のＢｐＡ（２０）、ＢｐＢ（２０）およびＢｐＣ（２０）参照）と、が生成されて記憶部２２（図２参照）に予め格納されている。
【００５２】
このため、輝度測定装置１０では、実施例１では、図７に示すように、標準蓄光材料ＰｂＡと等しい材質からなる蓄光材料に対する１分（第１時間Ｔ１）の測定により９０分（第２時間Ｔ２）での輝度予測値ＣＰ（残光輝度）を得るための輝度予測線ＢｐＡ（９０）と、標準蓄光材料ＰｂＢと等しい材質からなる蓄光材料に対する１分（第１時間Ｔ１）の測定により９０分（第２時間Ｔ２）での輝度予測値ＣＰ（残光輝度）を得るための輝度予測線ＢｐＢ（９０）と、標準蓄光材料ＰｂＣと等しい材質からなる蓄光材料に対する１分（第１時間Ｔ１）の測定により９０分（第２時間Ｔ２）での輝度予測値ＣＰ（残光輝度）を得るための輝度予測線ＢｐＣ（９０）と、が記憶部２２（図２参照）に選択可能に格納されている。
【００５３】
また、輝度測定装置１０では、実施例１では、図８に示すように、標準蓄光材料ＰｂＡと等しい材質からなる蓄光材料に対する１分（第１時間Ｔ１）の測定により６０分（第２時間Ｔ２）での輝度予測値ＣＰ（残光輝度）を得るための輝度予測線ＢｐＡ（６０）と、標準蓄光材料ＰｂＢと等しい材質からなる蓄光材料に対する１分（第１時間Ｔ１）の測定により６０分（第２時間Ｔ２）での輝度予測値ＣＰ（残光輝度）を得るための輝度予測線ＢｐＢ（６０）と、標準蓄光材料ＰｂＣと等しい材質からなる蓄光材料に対する１分（第１時間Ｔ１）の測定により６０分（第２時間Ｔ２）での輝度予測値ＣＰ（残光輝度）を得るための輝度予測線ＢｐＣ（６０）と、が記憶部２２（図２参照）に選択可能に格納されている。
【００５４】
さらに、輝度測定装置１０では、実施例１では、図９に示すように、標準蓄光材料ＰｂＡと等しい材質からなる蓄光材料に対する１分（第１時間Ｔ１）の測定により２０分（第２時間Ｔ２）での輝度予測値ＣＰ（残光輝度）を得るための輝度予測線ＢｐＡ（２０）と、標準蓄光材料ＰｂＢと等しい材質からなる蓄光材料に対する１分（第１時間Ｔ１）の測定により２０分（第２時間Ｔ２）での輝度予測値ＣＰ（残光輝度）を得るための輝度予測線ＢｐＢ（２０）と、標準蓄光材料ＰｂＣと等しい材質からなる蓄光材料に対する１分（第１時間Ｔ１）の測定により２０分（第２時間Ｔ２）での輝度予測値ＣＰ（残光輝度）を得るための輝度予測線ＢｐＣ（２０）と、が記憶部２２（図２参照）に選択可能に格納されている。
【００５５】
このため、輝度測定装置１０では、制御部２１の演算部２３が、制御部２１の記憶部２２に格納した各輝度予測線Ｂｐのいずれか１つを用いて、受光部１５から制御部２１に入力された信号から、第２時間Ｔ２における残光輝度としての輝度予測値ＣＰを算出する残光輝度算出制御を行う。図１０は、実施例１における演算部２３（制御部２１）にて実行される残光輝度算出制御処理内容を示すフローチャートである。以下、図１０のフローチャートの各ステップについて説明する。この残光輝度算出制御は、輝度測定装置１０の操作部１４において、残光輝度の測定を実行する旨の操作が為されることにより開始される。すると、演算部２３（制御部２１）は、操作部１４から制御部２１に入力された信号に基づいて、標準蓄光材料ＰｂＡと標準蓄光材料ＰｂＢと標準蓄光材料ＰｂＣとのいずれが選択されたのかを判断し、その情報に応じた輝度予測線Ｂｐ群の選択を行う。すなわち、標準蓄光材料ＰｂＡが選択された場合、各輝度予測線ＢｐＡ（図７から図９参照）を選択候補とし、標準蓄光材料ＰｂＢが選択された場合、各輝度予測線ＢｐＢ（図７から図９参照）を選択候補とし、標準蓄光材料ＰｂＣが選択された場合、各輝度予測線ＢｐＣ（図７から図９参照）を選択候補とする。ここで、輝度予測線Ｂｐ群の選択の差異による残光輝度算出制御処理内容の違いはないことから、以下のフローチャートの説明では、選択されたものを単に標準蓄光材料Ｐｂおよび輝度予測線Ｂｐとして表記し、その標準蓄光材料Ｐｂと等しい性質の対象蓄光材料Ｐｄ（蓄光標識）を測定対象としているものとする。
【００５６】
ステップＳ１では、操作部１４に第２時間Ｔ２を設定する旨の操作が為された否かを判断し、Ｙｅｓの場合はステップＳ２へ進み、Ｎｏの場合はステップＳ１へ戻る。このステップＳ１では、操作部１４からの入力信号から、操作部１４において第２時間Ｔ２を設定する旨の操作が為されたか否かを判断する。そして、第２時間Ｔ２を設定する旨の操作が為された場合、操作部１４から制御部２１に入力された信号に基づいて、２０分（１２００秒）と６０分（３６００秒）と９０分（５４００秒）とのいずれを選択する旨の操作が操作部１４に為されたかを判断し、その設定された第２時間Ｔ２を格納する。この第２時間Ｔ２の格納は、演算部２３内における記憶部（図示せず）に行うものであってもよく、記憶部２２に行うものであってもよい。
【００５７】
ステップＳ２では、ステップＳ１での操作部１４に第２時間Ｔ２を設定する旨の操作が為されたとの判断に続き、操作部１４に対象蓄光材料Ｐｄの測定を開始する旨の操作が為された否かを判断し、Ｙｅｓの場合はステップＳ３へ進み、Ｎｏの場合はステップＳ２へ戻る。このステップＳ２では、操作部１４からの入力信号から、操作部１４において対象蓄光材料Ｐｄの測定を開始する旨の操作が為されたか否かを判断する。また、操作部１４において対象蓄光材料Ｐｄの測定を開始する旨の操作が為された時点が測定開始時刻Ｔｍとなる。
【００５８】
ステップＳ３では、ステップＳ２での操作部１４に対象蓄光材料Ｐｄの測定を開始する旨の操作が為されたとの判断に続き、受光部１５から制御部２１に入力された信号に基づいて、第１時間Ｔ１における傾きｄａと、第１時間Ｔ１における輝度逆数値ｄｒと、を取得して、ステップＳ４へ進む。このステップＳ３では、受光部１５から制御部２１に入力された受光した光の光量に応じた大きさ（強度）の信号から、測定開始時刻Ｔｍを基準とする第１時間Ｔ１の前後の複数の時点（実施例１では３点から５点）の輝度（対象蓄光材料Ｐｄの残光輝度）を取得し、各輝度から輝度逆数値を生成し、その各輝度逆数値の時間（ｓｅｃ）に対する変化量から周知の変換式を用いて、第１時間Ｔ１の傾きを算出する。この第１時間Ｔ１の傾きは、対象蓄光材料Ｐｄから得た残光輝度特性の第１時間Ｔ１での傾きｄａ（図６参照）となる。また、ステップＳ３では、受光部１５から制御部２１に入力された受光した光の光量に応じた大きさ（強度）の信号から、測定開始時刻Ｔｍを基準とする第１時間Ｔ１の時点での輝度を取得し、その輝度から輝度逆数値を生成する。この第１時間Ｔ１の輝度逆数値は、対象蓄光材料Ｐｄの第１時間Ｔ１での輝度逆数値ｄｒとなる。なお、実施例１では、第１時間Ｔ１として設定された時間が残光輝度を得るための測定時間であることから、対象蓄光材料Ｐｄの測定すなわち受光部１５の駆動を停止する。
【００５９】
ステップＳ４では、ステップＳ３での第１時間Ｔ１での傾きｄａおよび輝度逆数値ｄｒの取得に続き、第２時間Ｔ２と第１時間Ｔ１との輝度逆数値の変化量ｄｄを求めて、ステップＳ５へ進む。このステップＳ４では、ステップＳ１で設定された第２時間Ｔ２に対応する輝度予測線Ｂｐ（輝度予測線Ｂｐ（９０）（図７参照）、輝度予測線Ｂｐ（６０）（図８参照）および輝度予測線Ｂｐ（２０）（図９参照）のいずれか）を選定し、ステップＳ３で取得した対象蓄光材料Ｐｄから得た残光輝度特性の第１時間Ｔ１での傾きｄａを、選定した輝度予測線Ｂｐに当てはめることにより、対象蓄光材料Ｐｄ（その残光輝度特性）における第２時間Ｔ２と第１時間Ｔ１との輝度逆数値の変化量ｄｄを算出する（図６参照）。
【００６０】
ステップＳ５では、ステップＳ４での第２時間Ｔ２と第１時間Ｔ１との輝度逆数値の変化量ｄｄの算出に続き、輝度予測値ＣＰを算出して、残光輝度算出制御処理を終了する。このステップＳ５では、ステップＳ４で求めた対象蓄光材料Ｐｄ（その残光輝度特性）における第２時間Ｔ２と第１時間Ｔ１との輝度逆数値の変化量ｄｄに、ステップＳ３で取得した対象蓄光材料Ｐｄの第１時間Ｔ１での輝度逆数値ｄｒを加算し、そこで得た値を逆数とすることにより、輝度予測値ＣＰを算出する。なお、ステップＳ３では、この算出した輝度予測値ＣＰを適宜記憶部２２に格納し、かつ測定結果として輝度予測値ＣＰを適宜表示部１２に適宜表示させる。
【００６１】
この輝度測定装置１０では、使用者が操作部１４において第２時間Ｔ２を設定する操作を行うと、図１０のフローチャートにおいてステップＳ１へと進むことにより、残光輝度を取得したい所定の設定時間（第２時間Ｔ２）を設定することができる。その後、筐体１１の下面の遮光用ゴム１７（図１（ｂ）参照）を、例えば、対象蓄光材料Ｐｄとしての蓄光標識に宛がって当該蓄光標識に受光部１５（図１（ｂ）参照）を対向させた状態（蓄光標識を遮光してそこからのりん光を取得する状態）において、使用者が操作部１４において測定を開始する旨の操作を行うと、図１０のフローチャートにおいてステップＳ２→ステップＳ３→ステップＳ４→ステップＳ５へと進むことにより、蓄光標識の第１時間Ｔ１の測定により、当該蓄光標識の所定の設定時間（第２時間Ｔ２）における残光輝度としての輝度予測値ＣＰを算出することができる。
【００６２】
このため、本発明に係る実施例１の輝度測定装置１０では、輝度予測線Ｂｐを用いて、対象蓄光材料Ｐｄ（蓄光標識）の第１時間Ｔ１での傾き（第１時間Ｔ１の残光輝度に基づく第１要素で示す値）から、当該対象蓄光材料Ｐｄの第２時間Ｔ２における残光輝度としての輝度予測値ＣＰを算出するものであることから、従来技術の第１の時刻から第２の時刻までの短い測定時間で設定時間における残光輝度を測定する輝度測定装置に比較して、高い精度で輝度予測値ＣＰを算出することができる。これは、以下のことによる。上述したように、蓄光材料では、材質の差異に拘らず測定開始時刻Ｔｍからの時間の経過に伴って変化の態様が変わっていくことから（図３および図４参照）、遮光を開始してからの測定時刻（第１の時刻から第２の時刻）の設定を遮光後中期としないと、その第１の時刻から第２の時刻の傾きからは設定時間における残光輝度を適切に算出することができなくなってしまう。これに対して、輝度測定装置１０では、一度設定した第１時間Ｔ１および第２時間Ｔ２を変更しなければ、その第１時間Ｔ１および第２時間Ｔ２のそれぞれの設定値に拘らず、標準蓄光材料Ｐｂと等しい性質の蓄光材料における第１時間Ｔ１における傾きと、第２時間Ｔ２と第１時間Ｔ１との輝度逆数値の変化量と、の相関関係を示す輝度予測線Ｂｐを用いるものであることから、高い精度で輝度予測値ＣＰを算出することができる。
【００６３】
また、輝度測定装置１０では、輝度予測線Ｂｐを用いて対象蓄光材料Ｐｄの第１時間Ｔ１での傾き（第１時間Ｔ１の残光輝度に基づく第１要素で示す値）から当該対象蓄光材料Ｐｄの第２時間Ｔ２における残光輝度としての輝度予測値ＣＰを算出するものであることから、従来技術の第１の時刻から第２の時刻までの短い測定時間で設定時間における残光輝度を測定する輝度測定装置に比較して、設定時間（第２時間Ｔ２）の自由度を高めることができる。これは、以下のことによる。上述したように、蓄光材料では、材質（性質）の差異に拘らず測定開始時刻Ｔｍからの時間の経過に伴って変化の態様が変わっていくとともに、遮光後後期においては特性線の傾きが時間の経過とともに大きくなることから（図３参照）、設定時間を遮光後中期としないと、当該設定時間が増大するにつれて誤差が大きくなってしまう。これに対して、輝度測定装置１０では、一度設定した第１時間Ｔ１および第２時間Ｔ２を変更しなければ、その第１時間Ｔ１および第２時間Ｔ２のそれぞれの設定値に拘らず、標準蓄光材料Ｐｂと等しい性質の蓄光材料における第１時間Ｔ１での傾きと、第２時間Ｔ２と第１時間Ｔ１との輝度逆数値の変化量と、の相関関係を示す輝度予測線Ｂｐを用いるものであることから、第２時間Ｔ２を大きな数値（９０分以上も含む）に設定しても高い精度で輝度予測値ＣＰを算出することができる。換言すると、第１時間Ｔ１よりも大きな数値であれば、第２時間Ｔ２をどのような値に設定してもその第２時間Ｔ２における輝度予測値ＣＰを高い精度で算出することができる。
【００６４】
さらに、輝度測定装置１０では、輝度予測線Ｂｐを用いて対象蓄光材料Ｐｄの第１時間Ｔ１での傾き（第１時間Ｔ１の残光輝度に基づく第１要素で示す値）から当該対象蓄光材料Ｐｄの第２時間Ｔ２における残光輝度としての輝度予測値ＣＰを算出するものであることから、従来技術の第１の時刻から第２の時刻までの短い測定時間で設定時間における残光輝度を測定する輝度測定装置に比較して、測定時間（第１時間Ｔ１）を短くすることができる。これは、以下のことによる。上述したように、蓄光材料では、材質（性質）の差異に拘らず測定開始時刻Ｔｍからの時間の経過に伴って変化の態様が変わっていくとともに、遮光後初期においては特性線の傾きが時間の経過とともに小さくなることから（図３および図４参照）、測定時間としての第１の時刻から第２の時刻までを遮光後中期としないと、大きな誤差が生じてしまう。これに対して、輝度測定装置１０では、一度設定した第１時間Ｔ１および第２時間Ｔ２を変更しなければ、その第１時間Ｔ１および第２時間Ｔ２のそれぞれの設定値に拘らず、標準蓄光材料Ｐｂと等しい性質の蓄光材料における第１時間Ｔ１での傾きと、第２時間Ｔ２と第１時間Ｔ１との輝度逆数値の変化量と、の相関関係を示す輝度予測線Ｂｐを用いるものであることから、第１時間Ｔ１を小さな数値としても高い精度で輝度予測値ＣＰを算出することができる。
【００６５】
輝度測定装置１０では、第２時間Ｔ２の残光輝度（輝度予測値ＣＰ）の算出に用いる輝度予測線Ｂｐが、励起照度ｅｌ１の条件下の第１標準特性線Ｐ１から得た第１準輝度点ｂ１と、励起照度ｅｌ２の条件下の第２標準特性線Ｐ２から得た第２準輝度点ｂ２と、を含む直線式として求めたものであることから、励起照度の差異に拘らず、標準蓄光材料Ｐｂにおける、第１時間Ｔ１における傾きと、第２時間Ｔ２と第１時間Ｔ１との輝度逆数値の変化量と、の相関関係を示すものとすることができる。換言すると、輝度予測線Ｂｐを、第１時間Ｔ１での傾きに対して、標準蓄光材料Ｐｂへの励起照度の差異を適切に反映させた第２時間Ｔ２と第１時間Ｔ１との輝度逆数値の変化量を示すものとすることができる。
【００６６】
輝度測定装置１０では、第２時間Ｔ２の残光輝度（輝度予測値ＣＰ）の算出に用いる輝度予測線Ｂｐが、第１時間Ｔ１での傾きに対して、標準蓄光材料Ｐｂへの励起照度の差異を適切に反映させた第２時間Ｔ２と第１時間Ｔ１との輝度逆数値の変化量を示すものであることから、高い精度で第２時間Ｔ２における輝度予測値ＣＰを算出することができる。このことは、建物の内部に設けられた蓄光標識（蓄光材料が用いられた非常口や避難経路等の標識）が、その環境下において十分な残光輝度を有しているか否かを測定する際に、特に効果的である。
【００６７】
輝度測定装置１０では、輝度予測線Ｂｐを用いて第２時間Ｔ２の残光輝度（輝度予測値ＣＰ）を算出するものであることから、当該輝度予測線Ｂｐを求めることに用いた標準蓄光材料Ｐｂと等しい材質からなる蓄光材料であれば、高い精度で輝度予測値ＣＰを算出することができる。
【００６８】
輝度測定装置１０では、筐体１１の下面の遮光用ゴム１７（図１（ｂ）参照）を対象蓄光材料Ｐｄに宛がって当該対象蓄光材料Ｐｄに受光部１５（図１（ｂ）参照）を対向させた状態において、対象蓄光材料Ｐｄを第１時間Ｔ１測定するだけでよいので、簡易に対象蓄光材料Ｐｄの第２時間Ｔ２における残光輝度（輝度予測値ＣＰ）を得ることができる。
【００６９】
輝度測定装置１０では、第１時間Ｔ１が１分間（６０秒）に設定されているので、対象蓄光材料Ｐｄ（蓄光標識）を１分間測定するだけで対象蓄光材料Ｐｄの第２時間Ｔ２における残光輝度（輝度予測値ＣＰ）を得ることができるので、簡易な測定作業とし、かつ作業効率を高めることができる。
【００７０】
輝度測定装置１０では、第１時間Ｔ１での測定により残光輝度（輝度予測値ＣＰ）得ることのできる所望の時間である第２時間Ｔ２として、２０分（１２００秒）と６０分（３６００秒）と９０分（５４００秒）とを設定していることから、簡易な測定作業で、対象蓄光材料Ｐｄの９０分における残光輝度（輝度予測値ＣＰ）と、対象蓄光材料Ｐｄの６０分における残光輝度（輝度予測値ＣＰ）と、対象蓄光材料Ｐｄの２０分における残光輝度（輝度予測値ＣＰ）と、を得ることができる。
【００７１】
輝度測定装置１０では、第１時間Ｔ１を１分とし第２時間Ｔ２を９０分とする輝度予測線Ｂｐ（９０）と、第１時間Ｔ１を１分とし第２時間Ｔ２を６０分とする輝度予測線Ｂｐ（６０）と、第１時間Ｔ１を１分とし第２時間Ｔ２を２０分とする輝度予測線Ｂｐ（２０）と、を記憶部２２に予め格納していることから、第２時間Ｔ２を設定（２０分、６０分、９０分の中から選択）すると直ちに対象蓄光材料Ｐｄの測定を開始することができるとともに、対象蓄光材料Ｐｄの第２時間Ｔ２における残光輝度（輝度予測値ＣＰ）の算出工程を簡易なものとすることができ、短時間で測定結果（残光輝度（輝度予測値ＣＰ））を得ることができる。
【００７２】
輝度測定装置１０では、標準蓄光材料Ｐｂとして複数の種類（実施例１では３つ）の蓄光材料を選定し、それぞれに対して輝度予測線Ｂｐを生成して記憶部２２に予め格納しているので、選定した複数の標準蓄光材料Ｐｂと等しい材質の蓄光材料に対して、高い精度で輝度予測値ＣＰを算出することができる。
【００７３】
輝度測定装置１０では、残光輝度を逆数（輝度逆数値）として扱っていることから、第１時間Ｔ１での傾きの取得を容易なものとすることができるので、簡易に高い精度で輝度予測値ＣＰを算出することができる。
【００７４】
したがって、実施例１の輝度測定装置１０では、設定時間の自由度を高めつつ、短い測定時間で設定時間における残光輝度を高い精度で得ることができる。
【００７５】
なお、上記した実施例１では、残光輝度算出制御処理内容を示す図１０のフローチャートのステップＳ３において、第１時間Ｔ１の前後の複数の時点の輝度を取得して第１時間Ｔ１の傾きを求めるものとしていたが、第１時間Ｔ１の前の複数の時点の輝度から求めるものであってもよく、第１時間Ｔ１の後の複数の時点の輝度から求めるものであってもよく、適宜設定すればよい。
【００７６】
また、上記した実施例１では、輝度予測線Ｂｐを求める際、励起照度ｅｌ１（ｌｕｘ）の条件下で第１標準特性線Ｐ１を求め、励起照度ｅｌ２（ｌｕｘ）の条件下で第２標準特性線Ｐ２を求めていたが、その励起照度ｅｌ１および励起照度ｅｌ２は適宜設定すればよい。これは、輝度予測線Ｂｐが、励起照度の差異に拘らず、標準蓄光材料Ｐｂと等しい性質の蓄光材料（等しい材質からなる蓄光材料）における第１時間Ｔ１での傾き（第１時間Ｔ１の残光輝度に基づく第１要素で示す値）と、第２時間Ｔ２と第１時間Ｔ１との輝度逆数値の変化量（第２時間Ｔ２の残光輝度に基づく第２要素で示す値）と、の相関関係を示すものであることによる。
【００７７】
さらに、上記した実施例１では、輝度予測線Ｂｐを求める際、第１標準特性線Ｐ１から得た第１準輝度点ｂ１と、第２標準特性線Ｐ２から得た第２準輝度点ｂ２と、を含む直線式として求めていたが、さらに異なる励起照度に対する特性線から得た準輝度点を用いて輝度予測線Ｂｐを求めてもよく、上記した実施例１に限定されるものではない。
【００７８】
上記した実施例１では、第１標準特性線Ｐ１から得た第１準輝度点ｂ１および第２標準特性線Ｐ２から得た第２準輝度点ｂ２を、第１時間Ｔ１の傾き（横軸）と第２時間Ｔ２と第１時間Ｔ１との輝度逆数値の変化量（縦軸）とで表すものとしていたが、輝度予測線Ｂｐを求めるべく第１時間Ｔ１の残光輝度に基づく第１要素で示す値と第２時間Ｔ２の残光輝度に基づく第２要素で示す値とで表すことができるものであれば、例えば、第１時間Ｔ１の輝度逆数値（横軸）と第２時間Ｔ２の輝度逆数値（縦軸）とで表すものであってもよく、第１時間Ｔ１の傾き（横軸）と第２時間Ｔ２の傾き（縦軸）とで表すものであってもよく、第１時間Ｔ１の輝度逆数値（横軸）と第２時間Ｔ２の傾き（縦軸）とで表すものであってもよく、上記した実施例１に限定されるものではない。
【００７９】
上記した実施例１では、性質の異なる複数の種類の蓄光材料として３つの標準蓄光材料Ｐｂ（標準蓄光材料ＰｂＡ、標準蓄光材料ＰｂＢおよび標準蓄光材料ＰｂＣ）を選定するとともに、それぞれに対して輝度予測線Ｂｐ（輝度予測線ＢｐＡ、輝度予測線ＢｐＢおよび輝度予測線ＢｐＣ）を生成して記憶部２２に予め格納していたが、選定する個数は複数であればよく、上記した実施例１に限定されるものではない。
【実施例２】
【００８０】
次に、本発明の実施例２の輝度測定装置１０Ｂについて、図１１から図１４を用いて説明する。この実施例２の輝度測定装置１０Ｂは、標準蓄光材料Ｐｂとは異なる性質の蓄光材料に対して、第１時間Ｔ１での測定により第２時間Ｔ２における残光輝度（輝度予測値ＣＰ）を得ることを可能とする例である。この実施例２の輝度測定装置１０Ｂは、基本的な構成は上記した実施例１の輝度測定装置１０と同様であることから、等しい構成の個所には同じ符号を付し、その詳細な説明は省略する。なお、実施例２の説明では、標準蓄光材料Ｐｂとは異なる性質の蓄光材料（異なる材質からなる蓄光材料）を測定対象とするものであることから、使用者が実際に測定対象とするものを対象蓄光材料Ｐｄ２と表記する。
【００８１】
実施例２の輝度測定装置１０Ｂにおける標準蓄光材料Ｐｂとは異なる材質からなる蓄光材料の適切な残光輝度（輝度予測値ＣＰ）を得ることを可能とするために、輝度予測線Ｂｐを測定対象とする蓄光材料に適合するものとする輝度予測線補正を行う。先ず、この輝度予測線補正の概念について説明する。
【００８２】
実施例２の輝度予測線補正では、測定結果として残光輝度（輝度予測値ＣＰ）を得ることのできる所望の時間（設定時間）としての第２時間Ｔ２と等しい時間の補正用測定作業を要求する。この補正用測定作業では、使用者が実際に測定対象とする対象蓄光材料Ｐｄ２と等しい材料からなる補正用蓄光材料Ｐｃを、輝度測定装置１０Ｂを用いて第２時間Ｔ２の測定を行う。すなわち、使用者は、輝度測定装置１０Ｂの筐体１１の下面の遮光用ゴム１７（図１（ｂ）参照）を補正用蓄光材料Ｐｃに宛がい当該補正用蓄光材料Ｐｃに受光部１５（図１（ｂ）参照）を対向させた状態（補正用蓄光材料Ｐｃを遮光してそこからのりん光を取得する状態）において、補正用蓄光材料Ｐｃの第２時間Ｔ２の測定を行う。これにより、補正用蓄光材料Ｐｃの遮光を開始すなわち補正用測定作業を開始した補正作業開始時刻Ｔｃを基準とした第２時間Ｔ２までの、補正用蓄光材料Ｐｃにおける時間に対する残光輝度の特性線（補正特性線（図示せず））を得ることができる。実施例２では、第１時間Ｔ１の傾き（横軸）と第２時間Ｔ２と第１時間Ｔ１との輝度逆数値の変化量（縦軸）との相関関係を示す輝度予測線Ｂｐを補正するものであることから、当該特性線は、図示は略すが横軸を補正用蓄光材料Ｐｃの遮光を開始した補正作業開始時刻Ｔｃを基準とした時間で示すとともに、縦軸を輝度逆数値で示すものとする。この特性線から、第１時間Ｔ１における傾きと、第１時間Ｔ１における輝度逆数値と、第２時間Ｔ２における輝度逆数値と、を得ることができる。
【００８３】
すると、これらの各値に基づいて、図１１に示すように、輝度予測線Ｂｐを示すグラフ上において、第１時間Ｔ１の傾きＣｄａと、第２時間Ｔ２と第１時間Ｔ１との輝度逆数値の変化量Ｃｄｄと、で表すことのできる予測線補正点Ｃを規定することができる。この予測線補正点Ｃは、輝度予測線Ｂｐを求める方法と同様の方法で補正用蓄光材料Ｐｃから得た輝度逆数値に基づくものであることから、図示は略すが補正用蓄光材料Ｐｃに対応する輝度予測線上に存在するものである。このため、輝度予測線Ｂｐの傾きはそのままにしつつ予測線補正点Ｃ上を通る直線式（符号ＣＢｐ参照）を求める、すなわち図１１に示すグラフにおいて輝度予測線Ｂｐを、予測線補正点Ｃを含むものとすべく縦軸方向に平行移動させる（矢印参照）ことにより、標準蓄光材料Ｐｂに対応する輝度予測線Ｂｐを補正用蓄光材料Ｐｃに対応する輝度予測線（図示せず）に近いものとすることができる。このようにして得られた輝度予測線Ｂｐの傾きで予測線補正点Ｃ上を通る直線式を補正輝度予測線ＣＢｐとする。この補正輝度予測線ＣＢｐでは、蓄光材料の材質（性質）が異なることに起因して変化する輝度予測線において、第２時間Ｔ２と第１時間Ｔ１との輝度逆数値の変化量（第２時間Ｔ２の残光輝度に基づく第２要素で示す値）における差異すなわち縦軸方向での差が、補正用蓄光材料Ｐｃから得た輝度逆数値に基づいて補正されていることとなる。このため、補正用蓄光材料Ｐｃから得た輝度逆数値に基づく予測線補正点Ｃを用いて輝度予測線Ｂｐから補正輝度予測線ＣＢｐを求めることは、輝度測定装置１０Ｂ（その制御部２１（その演算部２３））における補正用蓄光材料Ｐｃに対応させるための較正（キャリブレーション）を行っていることとなる。
【００８４】
このため、輝度測定装置１０Ｂでは、標準蓄光材料Ｐｂの代わりに補正輝度予測線ＣＢｐを用いることで、標準蓄光材料Ｐｂとは異なる性質であって補正用蓄光材料Ｐｃと等しい性質の対象蓄光材料Ｐｄ２の第２時間Ｔ２での残光輝度（輝度予測値ＣＰ）を、実施例１と同様に得ることができる。すなわち、対象蓄光材料Ｐｄ２の第１時間Ｔ１の測定から得られた第１時間Ｔ１の傾きｄａ２を、補正輝度予測線ＣＢｐに当てはめて第２時間Ｔ２と第１時間Ｔ１との輝度逆数値の変化量ｄｄ２を得るとともに、その変化量ｄｄ２に対象蓄光材料Ｐｄ２の第１時間Ｔ１の測定から得られた第１時間Ｔ１での輝度逆数値ｄｒ２を加算して得られた値を逆数とすることにより、対象蓄光材料Ｐｄ２の第２時間Ｔ２での残光輝度としての輝度予測値ＣＰを得ることができる。このため、輝度測定装置１０Ｂでは、標準蓄光材料Ｐｂとは異なる性質であって補正用蓄光材料Ｐｃと等しい性質の対象蓄光材料Ｐｄ２を測定する場合、輝度予測線Ｂｐに代えて補正輝度予測線ＣＢｐを用いるものとすることで、実施例１を同様の残光輝度算出制御処理（図１０参照）を行うことができる。
【００８５】
輝度測定装置１０Ｂでは、実施例１と同様に、第２時間Ｔ２として２０分（１２００秒）と６０分（３６００秒）と９０分（５４００秒）とを設定しているとともに、３つの標準蓄光材料Ｐｂ（標準蓄光材料ＰｂＡ、標準蓄光材料ＰｂＢおよび標準蓄光材料ＰｂＣ（図７から図９参照））が用意されており、それぞれに対して輝度予測線Ｂｐ（図７から図９参照）が生成されて記憶部２２（図２参照）に予め格納されている。このため、輝度測定装置１０Ｂでは、制御部２１の記憶部２２に予め格納された各輝度予測線Ｂｐからそれぞれの補正輝度予測線ＣＢｐを求める輝度予測線補正制御を行うことが可能とされている。図１２は、実施例２における演算部２３（制御部２１）にて実行される輝度予測線補正制御処理内容を示すフローチャートである。以下、図１２のフローチャートの各ステップについて説明する。この輝度予測線補正制御は、輝度測定装置１０Ｂの操作部１４において、３つの標準蓄光材料Ｐｂ（標準蓄光材料ＰｂＡ、標準蓄光材料ＰｂＢおよび標準蓄光材料ＰｂＣ）のうちのいずれか１つに対して輝度予測線補正を実行する旨の操作が為されることにより開始される。ここで、輝度予測線補正制御における各処理はいずれの標準蓄光材料Ｐｂであっても同様であることから、このフローチャートの説明では、選択されたものを単に標準蓄光材料Ｐｂおよび輝度予測線Ｂｐとして表記する。また、このフローチャートの説明では、実施例１と同様に、第１時間Ｔ１を１分とし第２時間Ｔ２を９０分とするものを輝度予測線Ｂｐ（９０）（図１１参照）とし、第１時間Ｔ１を１分とし第２時間Ｔ２を６０分とするものを輝度予測線Ｂｐ（６０）（図１３参照）とし、第１時間Ｔ１を１分とし第２時間Ｔ２を２０分とするものを輝度予測線Ｂｐ（２０）（図１４参照）とする。
【００８６】
ステップＳ１１では、操作部１４に補正用測定を開始する旨の操作が為された否かを判断し、Ｙｅｓの場合はステップＳ１２へ進み、Ｎｏの場合はステップＳ１１へ戻る。このステップＳ１１では、操作部１４からの入力信号から、操作部１４において補正用測定を開始する旨の操作が為されたか否かを判断する。そして、補正用測定を開始する旨の操作が為されたと判断した場合、その開始の操作が為された時点（補正作業開始時刻Ｔｃ）からの補正測定時間ｔｃのカウントを開始して、ステップＳ１２へ進む。ここでいう補正用測定とは、輝度測定装置１０Ｂの筐体１１の下面の遮光用ゴム１７（図１（ｂ）参照）を補正用蓄光材料Ｐｃに宛がい当該補正用蓄光材料Ｐｃに受光部１５（図１（ｂ）参照）を対向させた状態（補正用蓄光材料Ｐｃを遮光してそこからのりん光を取得する状態）として、その補正用蓄光材料Ｐｃの残光輝度を取得することをいう。このため、輝度予測線補正を実行する旨の操作が為された後に、操作部１４に測定を開始する旨の操作が為されると、それが補正用測定の開始の操作となる。
【００８７】
ステップＳ１２では、ステップＳ１１での補正用測定を開始する旨の操作が為されたとの判断に続き、第１時間Ｔ１における傾きＣｄａおよび第１時間Ｔ１における輝度逆数値Ｃｄｒ（１）を取得して、ステップＳ１３へ進む。このステップＳ１２では、カウントしている補正測定時間ｔｃが第１時間Ｔ１として設定された１分となると、受光部１５から制御部２１に入力された受光した光の光量に応じた大きさ（強度）の信号から、第１時間Ｔ１（１分）の前後の複数の時点（実施例１では３点から５点）の輝度（補正用蓄光材料Ｐｃの残光輝度）を取得し、各輝度から輝度逆数値を生成し、その各輝度逆数値の時間（ｓｅｃ）に対する変化量から周知の変換式を用いて、第１時間Ｔ１（１分）の傾きを算出する。この第１時間Ｔ１（１分）の傾きは、補正用蓄光材料Ｐｃから得た残光輝度特性の第１時間Ｔ１（１分）での傾きＣｄａとなる。また、ステップＳ１２では、受光部１５から制御部２１に入力された受光した光の光量に応じた大きさ（強度）の信号から、第１時間Ｔ１（１分）の時点の輝度を取得し、その輝度から輝度逆数値を生成する。この第１時間Ｔ１（１分）の輝度逆数値は、補正用蓄光材料Ｐｃの第１時間Ｔ１（１分）での輝度逆数値Ｃｄｒ（１）となる。
【００８８】
ステップＳ１３では、ステップＳ１２での第１時間Ｔ１（１分）の傾きＣｄａおよび輝度逆数値Ｃｄｒ（１）の取得に続き、２０分における輝度逆数値Ｃｄｒ（２０）を取得して、ステップＳ１４へ進む。このステップＳ１３では、カウントしている補正測定時間ｔｃが第２時間Ｔ２として設定された２０分となると、受光部１５から制御部２１に入力された受光した光の光量に応じた大きさ（強度）の信号から、２０分の時点の輝度を取得し、その輝度から輝度逆数値を生成する。この２０分（第２時間Ｔ２）の輝度逆数値は、補正用蓄光材料Ｐｃの２０分での輝度逆数値Ｃｄｒ（２０）となる。
【００８９】
ステップＳ１４では、ステップＳ１３での２０分（第２時間Ｔ２）における輝度逆数値Ｃｄｒ（２０）の取得に続き、６０分における輝度逆数値Ｃｄｒ（６０）を取得して、ステップＳ１５へ進む。このステップＳ１４では、カウントしている補正測定時間ｔｃが第２時間Ｔ２として設定された６０分となると、受光部１５から制御部２１に入力された受光した光の光量に応じた大きさ（強度）の信号から、６０分の時点の輝度を取得し、その輝度から輝度逆数値を生成する。この６０分（第２時間Ｔ２）の輝度逆数値は、補正用蓄光材料Ｐｃの６０分での輝度逆数値Ｃｄｒ（６０）となる。
【００９０】
ステップＳ１５では、ステップＳ１４での６０分（第２時間Ｔ２）における輝度逆数値Ｃｄｒ（６０）の取得に続き、９０分における輝度逆数値Ｃｄｒ（９０）を取得して、ステップＳ１６へ進む。このステップＳ１５では、カウントしている補正測定時間ｔｃが第２時間Ｔ２として設定された９０分となると、受光部１５から制御部２１に入力された受光した光の光量に応じた大きさ（強度）の信号から、９０分の時点の輝度を取得し、その輝度から輝度逆数値を生成する。この９０分（第２時間Ｔ２）の輝度逆数値は、補正用蓄光材料Ｐｃの９０分での輝度逆数値Ｃｄｒ（９０）となる。なお、実施例２では、第２時間Ｔ２として設定された時間の中で９０分が最も大きいものであることから、補正用蓄光材料Ｐｃの測定（補正用測定）すなわち受光部１５の駆動を停止する。
【００９１】
ステップＳ１６では、ステップＳ１５での９０分（第２時間Ｔ２）における輝度逆数値Ｃｄｒ（９０）の取得に続き、各予測線補正点Ｃ（Ｃ（２０）、Ｃ（６０）、Ｃ（９０））を求めて、ステップＳ１７へ進む。このステップＳ１６では、ステップＳ１３で取得した２０分（第２時間Ｔ２）の輝度逆数値Ｃｄｒ（２０）と、ステップＳ１２で取得した第１時間Ｔ１の輝度逆数値Ｃｄｒ（１）と、から、２０分（第２時間Ｔ２）と第１時間Ｔ１との輝度逆数値の変化量Ｃｄｄ（２０）（図１４参照）を求める。そして、ステップＳ１２で取得した第１時間Ｔ１の傾きＣｄａと、２０分（第２時間Ｔ２）と第１時間Ｔ１との輝度逆数値の変化量Ｃｄｄ（２０）と、で表すことのできる予測線補正点Ｃ（２０）（図１４参照）を求める。同様に、ステップＳ１４で取得した６０分（第２時間Ｔ２）の輝度逆数値Ｃｄｒ（６０）と、ステップＳ１２で取得した第１時間Ｔ１の輝度逆数値Ｃｄｒ（１）と、から、６０分（第２時間Ｔ２）と第１時間Ｔ１との輝度逆数値の変化量Ｃｄｄ（６０）（図１３参照）を求め、ステップＳ１２で取得した第１時間Ｔ１の傾きＣｄａと、６０分（第２時間Ｔ２）と第１時間Ｔ１との輝度逆数値の変化量Ｃｄｄ（６０）と、で表すことのできる予測線補正点Ｃ（６０）（図１３参照）を求める。同様に、ステップＳ１５で取得した９０分（第２時間Ｔ２）の輝度逆数値Ｃｄｒ（９０）と、ステップＳ１２で取得した第１時間Ｔ１の輝度逆数値Ｃｄｒ（１）と、から、９０分（第２時間Ｔ２）と第１時間Ｔ１との輝度逆数値の変化量Ｃｄｄ（９０）（図１１参照）を求め、ステップＳ１２で取得した第１時間Ｔ１の傾きＣｄａと、９０分（第２時間Ｔ２）と第１時間Ｔ１との輝度逆数値の変化量Ｃｄｄ（９０）と、で表すことのできる予測線補正点Ｃ（９０）（図１１参照）を求める。
【００９２】
ステップＳ１７では、ステップＳ１６での各予測線補正点Ｃを求めることに続き、その各予測線補正点Ｃを用いて輝度予測線Ｂｐから各補正輝度予測線ＣＢｐを求めて、輝度予測線補正を終了する。このステップＳ１７では、ステップＳ１６で求めた予測線補正点Ｃ（２０）を用いて、輝度予測線Ｂｐ（２０）から補正輝度予測線ＣＢｐ（２０）を求める（図１４参照）。同様に、ステップＳ１６で求めた予測線補正点Ｃ（６０）を用いて、輝度予測線Ｂｐ（６０）から補正輝度予測線ＣＢｐ（６０）を求め（図１３参照）、ステップＳ１６で求めた予測線補正点Ｃ（９０）を用いて、輝度予測線Ｂｐ（９０）から補正輝度予測線ＣＢｐ（９０）を求める（図１１参照）。その後、これら補正輝度予測線ＣＢｐ（２０）、補正輝度予測線ＣＢｐ（６０）および補正輝度予測線ＣＢｐ（９０）を、記憶部２２（図２参照）に格納する。
【００９３】
輝度測定装置１０Ｂでは、３つの標準蓄光材料Ｐｂ（標準蓄光材料ＰｂＡ、標準蓄光材料ＰｂＢおよび標準蓄光材料ＰｂＣ（図７から図９参照））のうちのいずれか１つの蓄光材料と等しい材質の対象蓄光材料Ｐｄを測定する場合は、実施例１と同様に、対応する輝度予測線Ｂｐを用いることで、その対象蓄光材料Ｐｄの第１時間Ｔ１の測定で当該対象蓄光材料Ｐｄの第２時間Ｔ２での残光輝度（輝度予測値ＣＰ）を得ることができる。
【００９４】
また、輝度測定装置１０Ｂでは、いずれの標準蓄光材料Ｐｂ（標準蓄光材料ＰｂＡ、標準蓄光材料ＰｂＢおよび標準蓄光材料ＰｂＣ）とも異なる材質からなる対象蓄光材料Ｐｄ２を測定する場合、いずれか１つの標準蓄光材料Ｐｂ（標準蓄光材料ＰｂＡ、標準蓄光材料ＰｂＢおよび標準蓄光材料ＰｂＣ）を選択するとともに、その選択した標準蓄光材料Ｐｂに関して対象蓄光材料Ｐｄ２と等しい材質の補正用蓄光材料Ｐｃを用いて輝度予測線補正を行うことで、標準蓄光材料Ｐｂに対応する各輝度予測線Ｂｐからそれぞれの補正用蓄光材料Ｐｃ（対象蓄光材料Ｐｄ２）に対応する補正輝度予測線ＣＢｐを求める。その後は、輝度予測線Ｂｐに変えて補正輝度予測線ＣＢｐを用いることで、上述したように対象蓄光材料Ｐｄ２の第１時間Ｔ１の測定で当該対象蓄光材料Ｐｄ２の第２時間Ｔ２での残光輝度（輝度予測値ＣＰ）を得ることができる。なお、対象蓄光材料Ｐｄ２を測定する場合、３つの標準蓄光材料Ｐｂのうち当該対象蓄光材料Ｐｄ２の輝度予測線と最も近い傾斜となる輝度予測線Ｂｐ（図７から図９参照）を選択することが望ましい。
【００９５】
実施例２の輝度測定装置１０Ｂでは、基本的に実施例１の輝度測定装置１０と同様の構成であることから、基本的に実施例１と同様の効果を得ることができる。
【００９６】
それに加えて、輝度測定装置１０Ｂでは、輝度予測線補正を行うことにより、対象蓄光材料Ｐｄ２とは異なる材質の標準蓄光材料Ｐｂに対応して求められた輝度予測線Ｂｐを、対象蓄光材料Ｐｄ２と等しい材質の補正用蓄光材料Ｐｃに対応する補正輝度予測線ＣＢｐとすることができるので、標準蓄光材料Ｐｂとは異なる材質の対象蓄光材料Ｐｄ２であっても、適切な残光輝度（輝度予測値ＣＰ）を得ることができる。
【００９７】
また、輝度測定装置１０Ｂでは、輝度予測線補正において、測定結果として残光輝度（輝度予測値ＣＰ）を得ることのできる所望の時間として設定した第２時間Ｔ２と等しい時間の補正用測定作業を１回行うだけで良いことから、簡易な補正用測定作業で、標準蓄光材料Ｐｂとは異なる材質（性質）の対象蓄光材料Ｐｄ２であっても適切な残光輝度（輝度予測値ＣＰ）を得ることができる。これは、実施例１と同様に、標準蓄光材料Ｐｂとは異なる材質（性質）の対象蓄光材料Ｐｄ２（補正用蓄光材料Ｐｃ）に対応する輝度予測線を求めるものとすると、第２時間Ｔ２と等しい時間の残光輝度の測定作業を少なくとも２度行う必要があることによる。
【００９８】
さらに、輝度測定装置１０Ｂでは、補正輝度予測線ＣＢｐが、蓄光材料の材質（性質）が異なることに起因して変化する輝度予測線において、第２時間Ｔ２と第１時間Ｔ１との輝度逆数値の変化量（第２時間Ｔ２の残光輝度に基づく第２要素で示す値）における差異すなわち図１１等のグラフにおける縦軸方向での差が、補正用蓄光材料Ｐｃから得た輝度逆数値（残光輝度）に基づいて補正されたものであることから、従来技術の第１の時刻から第２の時刻までの短い測定時間で設定時間における残光輝度を測定する輝度測定装置に比較して、高い精度で輝度予測値ＣＰを算出することができる。
【００９９】
輝度測定装置１０Ｂでは、輝度予測線補正制御において、標準蓄光材料Ｐｂとは異なる材質の補正用蓄光材料Ｐｃに対して、１回の補正用測定作業で第２時間Ｔ２として設定された２０分（１２００秒）と６０分（３６００秒）と９０分（５４００秒）との第２要素で示すために必要な残光輝度に基づく値（実施例２では輝度逆数値）を取得して、補正輝度予測線ＣＢｐ（２０）と補正輝度予測線ＣＢｐ（６０）と補正輝度予測線ＣＢｐ（９０）とを求めることから、補正用測定作業を簡易なものとすることができる。
【０１００】
輝度測定装置１０Ｂでは、操作部１４において、３つの標準蓄光材料Ｐｂ（標準蓄光材料ＰｂＡ、標準蓄光材料ＰｂＢおよび標準蓄光材料ＰｂＣ）のうちのいずれか１つに対して輝度予測線補正を実行する旨の操作を行い、実際に測定対象とする対象蓄光材料Ｐｄ２と等しい材料からなる補正用蓄光材料Ｐｃに対して筐体１１の下面の遮光用ゴム１７（図１（ｂ）参照）を宛がい当該補正用蓄光材料Ｐｃに受光部１５（図１（ｂ）参照）を対向させた状態として、操作部１４に測定を開始する旨の操作をするだけで、補正輝度予測線ＣＢｐ（２０）と補正輝度予測線ＣＢｐ（６０）と補正輝度予測線ＣＢｐ（９０）とを求めることができることから、補正用測定作業を簡易なものとすることができる。
【０１０１】
したがって、実施例２の輝度測定装置１０Ｂでは、設定時間の自由度を高めつつ、短い測定時間で設定時間における残光輝度を高い精度で得ることができる。
【０１０２】
なお、上記した実施例２では、輝度予測線補正制御処理内容を示す図１２のフローチャートのステップＳ１２において、第１時間Ｔ１の前後の複数の時点の輝度を取得して第１時間Ｔ１の傾きを求めるものとしていたが、第１時間Ｔ１の前の複数の時点の輝度から求めるものであってもよく、第１時間Ｔ１の後の複数の時点の輝度から求めるものであってもよく、適宜設定すればよい。
【０１０３】
また、上記した実施例２では、性質の異なる複数の種類の蓄光材料として３つの標準蓄光材料Ｐｂ（標準蓄光材料ＰｂＡ、標準蓄光材料ＰｂＢおよび標準蓄光材料ＰｂＣ）を選定するとともに、それぞれに対して輝度予測線Ｂｐ（輝度予測線ＢｐＡ、輝度予測線ＢｐＢおよび輝度予測線ＢｐＣ）を生成して記憶部２２に予め格納していたが、選定する個数は複数であればよく、上記した実施例２に限定されるものではない。
【実施例３】
【０１０４】
次に、本発明の実施例３の輝度測定装置１０Ｃについて、図１５から図２１を用いて説明する。この実施例３の輝度測定装置１０Ｃは、標準蓄光材料Ｐｂとは異なる材質からなる蓄光材料に対して、第２時間Ｔ２よりも短い（小さい）第３時間Ｔ３での補正用測定作業で、第１時間Ｔ１での測定により第２時間Ｔ２における残光輝度（輝度予測値ＣＰ）を得ることを可能とする例である。この実施例３の輝度測定装置１０Ｃは、基本的な構成は上記した実施例１の輝度測定装置１０と同様であることから、等しい構成の個所には同じ符号を付し、その詳細な説明は省略する。なお、実施例３の説明では、実施例２と同様に、標準蓄光材料Ｐｂとは異なる性質の蓄光材料（異なる材質からなる蓄光材料）を測定対象とするものであることから、使用者が実際に測定対象とするものを対象蓄光材料Ｐｄ２と表記する。
【０１０５】
先ず、実施例３の輝度測定装置１０Ｃにおける第３時間Ｔ３での補正用測定作業と、その補正用測定作業により標準蓄光材料Ｐｂとは異なる材質からなる蓄光材料の適切な残光輝度（輝度予測値ＣＰ）を得ることを可能とするための概念について説明する。
【０１０６】
最初に第３時間Ｔ３を設定する。この第３時間Ｔ３は、補正用測定作業を要求する時間であり、測定開始時刻Ｔｍを基準として、第１時間Ｔ１よりも大きくかつ第２時間Ｔ２よりも小さな値として設定する。すなわち、第３時間Ｔ３は、使用者が実際に測定対象とする対象蓄光材料Ｐｄ２と等しい材質（性質）の補正用蓄光材料Ｐｃに対して補正のための測定作業を行う時間となる。この第３時間Ｔ３は、実施例３では、使用者の使い勝手を向上させる観点から３分間（１８０秒）に設定している。なお、第１時間Ｔ１と第２時間Ｔ２とは、測定開始時刻Ｔｍを基準として、実施例１と同様に設定されている。また、以下の概念の説明では、理解容易のために、第２時間Ｔ２として９０分の場合について述べる。
【０１０７】
次に、実施例１と同様の第１標準特性線Ｐ１から、図５に示すように、第１時間Ｔ１（１分）における傾き（第１標準特性線Ｐ１上の点ｄ１１参照）と、第１時間Ｔ１における輝度逆数値（点ｄ１１参照）と、第３時間Ｔ３（実施例３では３分）における傾き（第１標準特性線Ｐ１上の二点鎖線で示す点ｄ１３参照）と、第３時間Ｔ３における輝度逆数値（点ｄ１３参照）と、第２時間Ｔ２（９０分）における輝度逆数値（第１標準特性線Ｐ１上の点ｄ１２参照）と、を取得する。
【０１０８】
同様に、第２標準特性線Ｐ２から、第１時間Ｔ１における傾き（第２標準特性線Ｐ２上の点ｄ２１参照）と、第１時間Ｔ１における輝度逆数値（点ｄ２１参照）と、第３時間Ｔ３における傾き（第２標準特性線Ｐ２上の二点鎖線で示す点ｄ２３参照）と、第３時間Ｔ３における輝度逆数値（点ｄ２３参照）と、第２時間Ｔ２における輝度逆数値（第１標準特性線Ｐ１上の点ｄ２２参照）と、を取得する。
【０１０９】
その第１標準特性線Ｐ１から取得した各値に基づいて、図１５に示すように、横軸を第１時間Ｔ１の傾きとし、かつ縦軸を第３時間Ｔ３と第１時間Ｔ１との輝度逆数値の変化量として示すグラフ上で、１つの点（第３準輝度点ｂ３）を得ることができる。すなわち、第３準輝度点ｂ３は、第１標準特性線Ｐ１から得られた第１時間Ｔ１における傾きと、第１標準特性線Ｐ１から得られた第３時間Ｔ３の輝度逆数値から第１時間Ｔ１の輝度逆数値を減算して得られる輝度逆数値の変化量と、で表したものである。
【０１１０】
同様に、第２標準特性線Ｐ２から取得した各値に基づいて、横軸を第１時間Ｔ１の傾きとし、かつ縦軸を第３時間Ｔ３と第１時間Ｔ１との輝度逆数値の変化量として示すグラフ上において、第２標準特性線Ｐ２から得られた第１時間Ｔ１における傾きと、第２標準特性線Ｐ２から得られた第３時間Ｔ３の輝度逆数値から第１時間Ｔ１の輝度逆数値を減算して得られる輝度逆数値の変化量と、で表すことのできる第４準輝度点ｂ４を得ることができる。
【０１１１】
そして、この第３準輝度点ｂ３および第４準輝度点ｂ４から、第３準輝度点ｂ３と第４準輝度点ｂ４とを含む直線式（Ｂｐ１）を求めることができる。この直線式を第一部輝度予測線Ｂｐ１とする。この第一部輝度予測線Ｂｐ１は、図示は略すが、輝度予測線Ｂｐと同様に、他の励起照度で励起された標準蓄光材料Ｐｂの遮光を開始した測定開始時刻Ｔｍを基準とした時間に対する残光輝度の相関関係を示す特性線（図示せず）から得た準輝度点も含むものとされている。このため、第一部輝度予測線Ｂｐ１は、励起照度の差異に拘らず、標準蓄光材料Ｐｂおよびそれと等しい性質の蓄光材料における第１時間Ｔ１での傾きと、第３時間Ｔ３の輝度逆数値から第１時間Ｔ１の輝度逆数値を減算して得られる輝度逆数値の変化量と、の相関関係を示していることとなる。換言すると、第一部輝度予測線Ｂｐ１は、第１時間Ｔ１での傾きに対して、標準蓄光材料Ｐｂへの励起照度の差異を適切に反映させた第３時間Ｔ３と第１時間Ｔ１との輝度逆数値の変化量を示していることとなる。このことから、第一部輝度予測線Ｂｐ１を用いることにより、標準蓄光材料Ｐｂと等しい材質（性質）からなる蓄光材料であれば、当該蓄光材料を遮光し、その遮光を開始（測定開始）した時点から第１時間Ｔ１が経過した時点での蓄光材料の残光輝度の変化の態様を示す特性線における傾きと、第１時間Ｔ１における残光輝度と、を取得することで、第３時間Ｔ３における残光輝度を得ることができる。
【０１１２】
また、上記したように第１標準特性線Ｐ１から取得した各値に基づいて、図１６に示すように、横軸を第３時間Ｔ３の傾きとし、かつ縦軸を第２時間Ｔ２と第３時間Ｔ３との輝度逆数値の変化量として示すグラフ上で、１つの点（第５準輝度点ｂ５）を得ることができる。すなわち、第５準輝度点ｂ５は、第１標準特性線Ｐ１から得られた第３時間Ｔ３における傾きと、第１標準特性線Ｐ１から得られた第２時間Ｔ２の輝度逆数値から第３時間Ｔ３の輝度逆数値を減算して得られる輝度逆数値の変化量と、で表したものである。
【０１１３】
同様に、第２標準特性線Ｐ２から取得した各値に基づいて、横軸を第３時間Ｔ３の傾きとし、かつ縦軸を第２時間Ｔ２と第３時間Ｔ３との輝度逆数値の変化量として示すグラフ上において、第２標準特性線Ｐ２から得られた第３時間Ｔ３における傾きと、第２標準特性線Ｐ２から得られた第２時間Ｔ２の輝度逆数値から第３時間Ｔ３の輝度逆数値を減算して得られる輝度逆数値の変化量と、で表すことのできる第６準輝度点ｂ６を得ることができる。
【０１１４】
そして、この第５準輝度点ｂ５および第６準輝度点ｂ６から、第５準輝度点ｂ５と第６準輝度点ｂ６とを含む直線式（Ｂｐ２）を求めることができる。この直線式を第二部輝度予測線Ｂｐ２とする。この第二部輝度予測線Ｂｐ２は、図示は略すが、輝度予測線Ｂｐと同様に、他の励起照度で励起された標準蓄光材料Ｐｂの遮光を開始した測定開始時刻Ｔｍを基準とした時間に対する残光輝度の変化の相関関係を示す特性線（図示せず）から得た準輝度点も含むものとされている。このため、第二部輝度予測線Ｂｐ２は、励起照度の差異に拘らず、標準蓄光材料Ｐｂおよびそれと等しい性質の蓄光材料における第３時間Ｔ３における傾きと、第２時間Ｔ２の輝度逆数値から第３時間Ｔ３の輝度逆数値を減算して得られる輝度逆数値の変化量と、の相関関係を示していることとなる。換言すると、第二部輝度予測線Ｂｐ２は、第３時間Ｔ３での傾きに対して、標準蓄光材料Ｐｂへの励起照度の差異を適切に反映させた第２時間Ｔ２と第３時間Ｔ３との輝度逆数値の変化量を示していることとなる。このことから、第二部輝度予測線Ｂｐ２を用いることにより、標準蓄光材料Ｐｂと等しい材質からなる蓄光材料であれば、当該蓄光材料を遮光し、その遮光を開始（測定開始）した時点から第３時間Ｔ３が経過した時点での蓄光材料の残光輝度の変化の態様を示す特性線における傾きと、第３時間Ｔ３における残光輝度と、を取得することで、第２時間Ｔ２における残光輝度を得ることができる。
【０１１５】
このため、第一部輝度予測線Ｂｐ１および第二部輝度予測線Ｂｐ２は、第１時間Ｔ１の残光輝度に基づく第１要素で示す値（実施例３では第１時間Ｔ１の傾き）と第２時間Ｔ２の残光輝度に基づく第２要素で示す値（実施例３では第２時間Ｔ２と第１時間Ｔ１との輝度逆数値の変化量）の相関関係を示す輝度予測線Ｂｐを、第３時間Ｔ３で２つに分割したものとなる。詳細には、第一部輝度予測線Ｂｐ１（図１５参照）が、第１時間Ｔ１の残光輝度に基づく第１要素で示す値（第１時間Ｔ１の傾き）と第３時間Ｔ３の残光輝度に基づく第３要素で示す値（第３時間Ｔ３と第１時間Ｔ１との輝度逆数値の変化量）の相関関係を示すものであることから、第１時間Ｔ１での各値から第３時間Ｔ３での残光輝度を求めることを可能とするものである。この第３要素は、第２要素における第２時間Ｔ２を第３時間Ｔ３に変えたのみのものである。また、第二部輝度予測線Ｂｐ２が、第３時間Ｔ３の残光輝度に基づく第４要素で示す値（第３時間Ｔ３の傾き）と第２時間Ｔ２の残光輝度に基づく第５要素で示す値（第２時間Ｔ２と第３時間Ｔ３との輝度逆数値の変化量）の相関関係を示すものであることから、第３時間Ｔ３での各値から第２時間Ｔ２での残光輝度を求めることを可能とするものである。この第４要素は、第１要素における第１時間Ｔ１を第３時間Ｔ３に変えたのみのものであり、第５要素は、第２要素における第１時間Ｔ１を第３時間Ｔ３に変えたのみのものである。このため、輝度予測線Ｂｐが、第１時間Ｔ１での各値から第２時間Ｔ２での残光輝度を求めることに対して、第一部輝度予測線Ｂｐ１および第二部輝度予測線Ｂｐ２は、第１時間Ｔ１での各値から第３時間Ｔ３での残光輝度を求め、その各値から第２時間Ｔ２での残光輝度を求めるものである。ここで、第二部輝度予測線Ｂｐ２を用いるには、第３時間Ｔ３での傾き（第３時間Ｔ３の残光輝度に基づく第４要素で示す値）が必要となる。このため、さらに以下のように第３時間Ｔ３での傾き（第３時間Ｔ３の残光輝度に基づく第４要素で示す値）を求めるための特性線を求める。
【０１１６】
先ず、上記したように第１標準特性線Ｐ１から取得した各値に基づいて、図１７に示すように、横軸を第１時間Ｔ１の傾きとし、かつ縦軸を第３時間Ｔ３の傾きとして示すグラフ上で、１つの点（第７準輝度点ｂ７）を得ることができる。すなわち、第７準輝度点ｂ７は、第１標準特性線Ｐ１から得られた第１時間Ｔ１における傾きと、第１標準特性線Ｐ１から得られた第３時間Ｔ３における傾きと、で表したものである。
【０１１７】
同様に、第２標準特性線Ｐ２から取得した各値に基づいて、横軸を第１時間Ｔ１の傾きとし、かつ縦軸を第３時間Ｔ３の傾きとして示すグラフ上において、第２標準特性線Ｐ２から得られた第１時間Ｔ１における傾きと、第２標準特性線Ｐ２から得られた第３時間Ｔ３における傾きと、で表すことのできる第８準輝度点ｂ８を得ることができる。
【０１１８】
そして、この第７準輝度点ｂ７および第８準輝度点ｂ８から、第７準輝度点ｂ７と第２準輝度点ｂ２とを含む直線式（Ａｐ）を求めることができる。この直線式を傾斜予測線Ａｐとする。この傾斜予測線Ａｐは、図示は略すが、他の励起照度で励起された標準蓄光材料Ｐｂの遮光を開始した測定開始時刻Ｔｍを基準とした時間に対する残光輝度の変化の相関関係を示す特性線（図示せず）から得た準輝度点を含むものとされている。このため、傾斜予測線Ａｐは、励起照度の差異に拘らず、標準蓄光材料Ｐｂおよびそれと等しい性質の蓄光材料における第１時間Ｔ１における傾きと、第３時間Ｔ３における傾きと、の相関関係を示していることとなる。換言すると、傾斜予測線Ａｐは、第１時間Ｔ１での傾きに対して、標準蓄光材料Ｐｂへの励起照度の差異を適切に反映させた第３時間Ｔ３の傾きを示していることとなる。このことから、傾斜予測線Ａｐを用いることにより、標準蓄光材料Ｐｂと等しい材質からなる蓄光材料であれば、当該蓄光材料を遮光し、その遮光を開始（測定開始）した時点から第１時間Ｔ１が経過した時点での蓄光材料の残光輝度の変化の態様を示す特性線における傾きを取得することで、第３時間Ｔ３が経過した時点での蓄光材料の残光輝度の変化の態様を示す特性線における傾きを得ることができる。このため、標準蓄光材料Ｐｂと等しい材質からなる蓄光材料から得た第１時間Ｔ１での傾きから、当該蓄光材料に対応する第３時間Ｔ３での傾き（第３時間Ｔ３の残光輝度に基づく第４要素で示す値）を得ることができるので、第二部輝度予測線Ｂｐ２を用いることが可能となる。
【０１１９】
このため、実施例３の輝度測定装置１０Ｃでは、制御部２１の記憶部２２（図２参照）に輝度予測線Ｂｐとしての第一部輝度予測線Ｂｐ１および第二部輝度予測線Ｂｐ２と、傾斜予測線Ａｐと、が予め格納されている。この輝度測定装置１０Ｃでは、標準蓄光材料Ｐｂとは異なる材質からなる蓄光材料の適切な残光輝度（輝度予測値ＣＰ）を得ることを可能とするために、第一部輝度予測線Ｂｐ１および傾斜予測線Ａｐを測定対象とする蓄光材料に適合するものとすべく補正する第３時間予測線補正を行う。次に、この第３時間予測線補正の概念について説明する。
【０１２０】
実施例３の第３時間予測線補正では、第３時間Ｔ３の補正用測定作業を要求する。この補正用測定作業では、使用者が実際に測定対象とする対象蓄光材料Ｐｄ２と等しい材料からなる補正用蓄光材料Ｐｃを、輝度測定装置１０Ｃを用いて第３時間Ｔ３の測定を行う。すなわち、使用者は、輝度測定装置１０Ｃの筐体１１の下面の遮光用ゴム１７（図１（ｂ）参照）を補正用蓄光材料Ｐｃに宛がい当該補正用蓄光材料Ｐｃに受光部１５（図１（ｂ）参照）を対向させた状態（補正用蓄光材料Ｐｃを遮光してそこからのりん光を取得する状態）において、補正用蓄光材料Ｐｃの第３時間Ｔ３の測定を行う。これにより、第３時間Ｔ３までの補正用蓄光材料Ｐｃの時間に対する残光輝度の特性線（補正特性線（図示せず））を得ることができる。実施例３では、第一部輝度予測線Ｂｐ１（図１５参照）および傾斜予測線Ａｐ（図１７参照）を補正するものであることから、当該特性線から、第１時間Ｔ１における傾き（傾きＣｄａ（１））と、第１時間Ｔ１における輝度逆数値と、第３時間Ｔ３における傾き（傾きＣｄａ（３））と、第３時間Ｔ３における輝度逆数値と、を得る。
【０１２１】
すると、図１５に示すように、第一部輝度予測線Ｂｐ１を示すグラフ上において、第１時間Ｔ１の傾きＣｄａ（１）と、第３時間Ｔ３と第１時間Ｔ１との輝度逆数値の変化量Ｃｄｄ（３）と、で表すことのできる第一部輝度予測線補正点Ｃ２を規定することができる。その変化量Ｃｄｄ（３）は、第３時間Ｔ３の輝度逆数値から第１時間Ｔ１の輝度逆数値を減算したものである。その第一部輝度予測線補正点Ｃ２は、第一部輝度予測線Ｂｐ１を求める方法と同様の方法で補正用蓄光材料Ｐｃから得た輝度逆数値に基づくものであることから、補正用蓄光材料Ｐｃに対応する第一部輝度予測線（図示せず）上に存在するものである。このため、第一部輝度予測線Ｂｐ１の傾きはそのままにしつつ第一部輝度予測線補正点Ｃ２上を通る直線式（符号ＣＢｐ１参照）を求める、すなわち図１５に示すグラフにおいて第一部輝度予測線Ｂｐ１を、第一部輝度予測線補正点Ｃ２を含むものとすべく縦軸方向に平行移動させる（矢印参照）ことにより、標準蓄光材料Ｐｂに対応する第一部輝度予測線Ｂｐ１を補正用蓄光材料Ｐｃに対応する第一部輝度予測線（図示せず）に近づけることができる。このようにして得られた第一部輝度予測線Ｂｐ１の傾きで第一部輝度予測線補正点Ｃ２上を通る直線式を補正第一部輝度予測線ＣＢｐ１とする。この補正第一部輝度予測線ＣＢｐ１では、蓄光材料の材質が異なることに起因して変化する第一部輝度予測線において、第３時間Ｔ３と第１時間Ｔ１との輝度逆数値の変化量（第３時間Ｔ３の残光輝度に基づく第３要素で示す値）における差異すなわち縦軸方向での差が、補正用蓄光材料Ｐｃから得た輝度逆数値に基づいて補正されていることとなる。
【０１２２】
また、図１７に示すように、傾斜予測線Ａｐを示すグラフ上において、第１時間Ｔ１の傾きＣｄａ（１）と、第３時間Ｔ３の傾きＣｄａ（３）と、で表すことのできる傾斜予測線補正点Ｃ３を規定することができる。この傾斜予測線補正点Ｃ３は、傾斜予測線Ａｐを求める方法と同様の方法で補正用蓄光材料Ｐｃから得た輝度逆数値に基づくものであることから、補正用蓄光材料Ｐｃに対応する傾斜予測線（図示せず）上に存在するものである。このため、傾斜予測線Ａｐの傾きはそのままにしつつ傾斜予測線補正点Ｃ３上を通る直線式（符号ＣＡｐ参照）を求める、すなわち図１７に示すグラフにおいて傾斜予測線Ａｐを、傾斜予測線補正点Ｃ３を含むものとすべく縦軸方向に平行移動させる（矢印参照）ことにより、標準蓄光材料Ｐｂに対応する傾斜予測線Ａｐを補正用蓄光材料Ｐｃに対応する傾斜予測線（図示せず）に近づけることができる。このようにして得られた傾斜予測線Ａｐの傾きで傾斜予測線補正点Ｃ３上を通る直線式を補正傾斜予測線ＣＡｐとする。この補正傾斜予測線ＣＡｐでは、蓄光材料の材質が異なることに起因して変化する傾斜予測線において、第３時間Ｔ３での傾き（第３時間Ｔ３の残光輝度に基づく第４要素で示す値）における差異すなわち縦軸方向での差が、補正用蓄光材料Ｐｃから得た輝度逆数値に基づいて補正されていることとなる。
【０１２３】
このため、補正用蓄光材料Ｐｃから得た輝度逆数値に基づく第一部輝度予測線補正点Ｃ２を用いて第一部輝度予測線Ｂｐ１から補正第一部輝度予測線ＣＢｐ１を求めることと（図１５参照）、補正用蓄光材料Ｐｃから得た輝度逆数値に基づく傾斜予測線補正点Ｃ３を用いて傾斜予測線Ａｐから補正傾斜予測線ＣＡｐを求めることと（図１７参照）、は、輝度測定装置１０Ｃ（その制御部２１（その演算部２３））における補正用蓄光材料Ｐｃに対応させるための較正（キャリブレーション）を行っていることとなる。
【０１２４】
実施例３の輝度測定装置１０Ｃでは、補正用蓄光材料Ｐｃと等しい性質の（等しい材質からなる）対象蓄光材料Ｐｄ２の第１時間Ｔ１の測定から、第１時間Ｔ１の傾きｄａ１と第１時間Ｔ１の輝度逆数値ｄｒ１とを得る。そして、その第１時間Ｔ１の傾きｄａ１を、第一部輝度予測線Ｂｐ１を補正して得られた補正第一部輝度予測線ＣＢｐ１に当てはめて第３時間Ｔ３と第１時間Ｔ１との輝度逆数値の変化量ｄｄ３を得るとともに（図１５参照）、その変化量ｄｄ３に第１時間Ｔ１の輝度逆数値ｄｒ１を加算することで、第３時間Ｔ３の輝度逆数値ｄｒ３を得る。また、第１時間Ｔ１の傾きｄａ１を、傾斜予測線Ａｐを補正して得られた補正傾斜予測線ＣＡｐに当てはめて第３時間Ｔ３の傾きｄａ３を得る（図１７参照）。そして、第３時間Ｔ３の傾きｄａ３を、予め記憶部２２に格納されている第二部輝度予測線Ｂｐ２に当てはめて第２時間Ｔ２と第３時間Ｔ３との輝度逆数値の変化量ｄｄ４を得る（図１６参照）。その変化量ｄｄ４に上述したように補正第一部輝度予測線ＣＢｐ１から得た第３時間Ｔ３の輝度逆数値ｄｒ３を加算して得られた値を逆数とすることにより、対象蓄光材料Ｐｄ２の第２時間Ｔ２での残光輝度としての輝度予測値ＣＰを得ることができる。
【０１２５】
輝度測定装置１０Ｃでは、実施例１と同様に、第２時間Ｔ２として２０分（１２００秒）と６０分（３６００秒）と９０分（５４００秒）とを設定しており、それぞれに対して第二部輝度予測線Ｂｐ２が生成されて記憶部２２（図２参照）に予め格納されている。このことから、以下の説明では、個別に述べる際には、第１時間Ｔ１を１分とし第２時間Ｔ２を９０分とするものを第二部輝度予測線Ｂｐ２（９０）（図１６参照）とし、第１時間Ｔ１を１分とし第２時間Ｔ２を６０分とするものを第二部輝度予測線Ｂｐ２（６０）（図１８参照）とし、第１時間Ｔ１を１分とし第２時間Ｔ２を２０分とするものを第二部輝度予測線Ｂｐ２（２０）（図１９参照）とする。しかしながら、輝度測定装置１０Ｃでは、上述したように、制御部２１の記憶部２２に予め格納された第一部輝度予測線Ｂｐ１から補正第一部輝度予測線ＣＢｐ１を求めるとともに、制御部２１の記憶部２２に予め格納された傾斜予測線Ａｐから補正傾斜予測線ＣＡｐを求める第３時間予測線補正制御を行うものであることから、各第二部輝度予測線Ｂｐ２を補正することはない。図２０は、実施例３における演算部２３（制御部２１）にて実行される第３時間予測線補正制御処理内容を示すフローチャートである。以下、図２０のフローチャートの各ステップについて説明する。この第３時間予測線補正制御処理は、輝度測定装置１０Ｃの操作部１４において、標準蓄光材料Ｐｂに対して第３時間予測線補正を実行する旨の操作が為されることにより開始される。
【０１２６】
ステップＳ２１では、操作部１４に補正用測定を開始する旨の操作が為された否かを判断し、Ｙｅｓの場合はステップＳ２２へ進み、Ｎｏの場合はステップＳ２１へ戻る。このステップＳ２１では、操作部１４からの入力信号から、操作部１４において補正用測定を開始する旨の操作が為されたか否かを判断する。そして、補正用測定を開始する旨の操作が為されたと判断した場合、その開始の操作が為された時点（補正作業開始時刻Ｔｃ）からの補正測定時間ｔｃのカウントを開始して、ステップＳ２２へ進む。ここでいう補正用測定の開始とは、実施例２の輝度予測線補正制御処理と同様である。このため、輝度予測線補正を実行する旨の操作が為された後に、操作部１４に測定を開始する旨の操作が為されると、それが補正用測定の開始の操作となる。
【０１２７】
ステップＳ２２では、ステップＳ２１での補正用測定を開始する旨の操作が為されたとの判断に続き、第１時間Ｔ１における傾きＣｄａ（１）および第１時間Ｔ１における輝度逆数値Ｃｄｒ（１）を取得して、ステップＳ２３へ進む。このステップＳ２２では、カウントしている補正測定時間ｔｃが第１時間Ｔ１として設定された１分となると、受光部１５から制御部２１に入力された受光した光の光量に応じた大きさ（強度）の信号から、第１時間Ｔ１（１分）の前後の複数の時点（実施例１では３点から５点）の輝度（補正用蓄光材料Ｐｃの残光輝度）を取得し、各輝度から輝度逆数値を生成し、その各輝度逆数値の時間（ｓｅｃ）に対する変化量から周知の変換式を用いて、第１時間Ｔ１（１分）の傾きを算出する。この第１時間Ｔ１（１分）の傾きは、補正用蓄光材料Ｐｃから得た残光輝度特性の第１時間Ｔ１（１分）での傾きＣｄａ（１）となる。また、ステップＳ２２では、受光部１５から制御部２１に入力された受光した光の光量に応じた大きさ（強度）の信号から、第１時間Ｔ１（１分）の時点の輝度を取得し、その輝度から輝度逆数値を生成する。この第１時間Ｔ１（１分）の輝度逆数値は、補正用蓄光材料Ｐｃの第１時間Ｔ１（１分）での輝度逆数値Ｃｄｒ（１）となる。
【０１２８】
ステップＳ２３では、ステップＳ２２での第１時間Ｔ１の傾きＣｄａ（１）および輝度逆数値Ｃｄｒ（１）の取得に続き、第３時間Ｔ３における傾きＣｄａ（３）および第３時間Ｔ３における輝度逆数値Ｃｄｒ（３）を取得して、ステップＳ２４へ進む。このステップＳ２３では、カウントしている補正測定時間ｔｃが第３時間Ｔ３として設定された３分となると、受光部１５から制御部２１に入力された受光した光の光量に応じた大きさ（強度）の信号から、第３時間Ｔ３（３分）の前後の複数の時点（実施例１では３点から５点）の輝度（補正用蓄光材料Ｐｃの残光輝度）を取得し、各輝度から輝度逆数値を生成し、その各輝度逆数値の時間（ｓｅｃ）に対する変化量から周知の変換式を用いて、第３時間Ｔ３（３分）の傾きを算出する。この第３時間Ｔ３（３分）の傾きは、補正用蓄光材料Ｐｃから得た残光輝度特性の第３時間Ｔ３（３分）での傾きＣｄａ（３）となる。また、ステップＳ２３では、受光部１５から制御部２１に入力された受光した光の光量に応じた大きさ（強度）の信号から、第３時間Ｔ３（３分）の時点の輝度を取得し、その輝度から輝度逆数値を生成する。この第３時間Ｔ３（３分）の輝度逆数値は、補正用蓄光材料Ｐｃの第３時間Ｔ３（３分）での輝度逆数値Ｃｄｒ（３）となる。なお、実施例３では、第３時間Ｔ３として設定された時間が第３時間予測線補正のための測定時間であることから、補正用蓄光材料Ｐｃの測定（補正用測定）すなわち受光部１５の駆動を停止する。
【０１２９】
ステップＳ２４では、ステップＳ２３での第３時間Ｔ３の傾きＣｄａ（３）および輝度逆数値Ｃｄｒ（３）の取得に続き、第一部輝度予測線補正点Ｃ２と傾斜予測線補正点Ｃ３と、を求めて、ステップＳ２５へ進む。このステップＳ２４では、ステップＳ２３で取得した第３時間Ｔ３の輝度逆数値Ｃｄｒ（３）と、ステップＳ２２で取得した第１時間Ｔ１の輝度逆数値Ｃｄｒ（１）と、から、第３時間Ｔ３（３分）と第１時間Ｔ１（１分）との輝度逆数値の変化量Ｃｄｄ（３）（図１５参照）を求める。そして、その第３時間Ｔ３（３分）と第１時間Ｔ１（１分）との輝度逆数値の変化量Ｃｄｄ（３）と、ステップＳ２２で取得した第１時間Ｔ１の傾きＣｄａ（１）と、で表すことのできる第一部輝度予測線補正点Ｃ２を求める（図１５参照）。また、ステップＳ２４では、ステップＳ２２で取得した第１時間Ｔ１の傾きＣｄａ（１）と、ステップＳ２３で取得した第３時間Ｔ３の傾きＣｄａ（３）と、から、傾斜予測線補正点Ｃ３を求める（図１７参照）。
【０１３０】
ステップＳ２５では、ステップＳ２４での第一部輝度予測線補正点Ｃ２と傾斜予測線補正点Ｃ３とを求めることに続き、補正第一部輝度予測線ＣＢｐ１を求めるとともに補正傾斜予測線ＣＡｐを求めて、第３時間予測線補正を終了する。このステップＳ２５では、ステップＳ２４で求めた第一部輝度予測線補正点Ｃ２を用いて第一部輝度予測線Ｂｐ１から補正第一部輝度予測線ＣＢｐ１を求める（図１５参照）。同様に、ステップＳ２４で求めた傾斜予測線補正点Ｃ３を用いて傾斜予測線Ａｐから補正傾斜予測線ＣＡｐを求める（図１７参照）。その後、これら補正第一部輝度予測線ＣＢｐ１および補正傾斜予測線ＣＡｐを、記憶部２２（図２参照）に格納する。
【０１３１】
輝度測定装置１０Ｃでは、補正用蓄光材料Ｐｃと等しい材質の対象蓄光材料Ｐｄ２を測定対象とする場合、制御部２１の演算部２３が、制御部２１の記憶部２２に格納した補正第一部輝度予測線ＣＢｐ１および補正傾斜予測線ＣＡｐとともに、各第二部輝度予測線Ｂｐ２を用いて、受光部１５から制御部２１に入力された信号から、第２時間Ｔ２における残光輝度としての輝度予測値ＣＰを算出する第２残光輝度算出制御を行う。図２１は、実施例３における演算部２３（制御部２１）にて実行される第２残光輝度算出制御処理内容を示すフローチャートである。以下、図２１のフローチャートの各ステップについて説明する。この第２残光輝度算出制御は、輝度測定装置１０Ｃの操作部１４において、残光輝度の測定を実行する旨の操作が為されることにより開始される。このフローチャートの説明では、補正用蓄光材料Ｐｃと等しい材質の対象蓄光材料Ｐｄ２（蓄光標識）を測定対象としているものとする。
【０１３２】
ステップＳ３１では、操作部１４に第２時間Ｔ２を設定する旨の操作が為された否かを判断し、Ｙｅｓの場合はステップＳ３２へ進み、Ｎｏの場合はステップＳ３１へ戻る。このステップＳ３１では、操作部１４からの入力信号から、操作部１４において第２時間Ｔ２を設定する旨の操作が為されたか否かを判断する。そして、第２時間Ｔ２を設定する旨の操作が為された場合、操作部１４から制御部２１に入力された信号に基づいて、２０分（１２００秒）と６０分（３６００秒）と９０分（５４００秒）とのいずれを選択する旨の操作が操作部１４に為されたかを判断し、その設定された第２時間Ｔ２を格納する。この第２時間Ｔ２の格納は、演算部２３（制御部２１）内における記憶部（図示せず）に行うものであってもよく、記憶部２２に行うものであってもよい。
【０１３３】
ステップＳ３２では、ステップＳ３１での操作部１４に第２時間Ｔ２を設定する旨の操作が為されたとの判断に続き、操作部１４に対象蓄光材料Ｐｄ２の測定を開始する旨の操作が為された否かを判断し、Ｙｅｓの場合はステップＳ３３へ進み、Ｎｏの場合はステップＳ３２へ戻る。このステップＳ３２では、操作部１４からの入力信号から、操作部１４において対象蓄光材料Ｐｄ２の測定を開始する旨の操作が為されたか否かを判断する。また、操作部１４において対象蓄光材料Ｐｄ２の測定を開始する旨の操作が為された時点が測定開始時刻Ｔｍとなる。
【０１３４】
ステップＳ３３では、ステップＳ３２での操作部１４に対象蓄光材料Ｐｄ２の測定を開始する旨の操作が為されたとの判断に続き、受光部１５から制御部２１に入力された信号に基づいて、第１時間Ｔ１における傾きｄａ１と、第１時間Ｔ１における輝度逆数値ｄｒ１と、を取得して、ステップＳ３４へ進む。このステップＳ３３では、受光部１５から制御部２１に入力された受光した光の光量に応じた大きさ（強度）の信号から、測定開始時刻Ｔｍを基準とする第１時間Ｔ１の前後の複数の時点（実施例３では３点から５点）の輝度（対象蓄光材料Ｐｄ２の残光輝度）を取得し、各輝度から輝度逆数値を生成し、その各輝度逆数値の時間（ｓｅｃ）に対する変化量から周知の変換式を用いて、第１時間Ｔ１（１分）の傾きを算出する。この第１時間Ｔ１（１分）の傾きは、対象蓄光材料Ｐｄ２から得た残光輝度特性の第１時間Ｔ１（１分）での傾きｄａ１となる。また、ステップＳ３３では、受光部１５から制御部２１に入力された受光した光の光量に応じた大きさ（強度）の信号から、測定開始時刻Ｔｍを基準とする第１時間Ｔ１の時点の輝度を取得し、その輝度から輝度逆数値を生成する。この第１時間Ｔ１の輝度逆数値は、対象蓄光材料Ｐｄ２の第１時間Ｔ１での輝度逆数値ｄｒ１となる。なお、実施例１では、第１時間Ｔ１として設定された時間が残光輝度を得るための測定時間であることから、対象蓄光材料Ｐｄ２の測定すなわち受光部１５の駆動を停止する。
【０１３５】
ステップＳ３４では、ステップＳ３３での第１時間Ｔ１の傾きｄａ１および輝度逆数値ｄｒ１の取得に続き、第３時間Ｔ３の傾きｄａ３および第３時間Ｔ３と第１時間Ｔ１との輝度逆数値の変化量ｄｄ３を求めて、ステップＳ３５へ進む。このステップＳ３４では、ステップＳ３３で取得した対象蓄光材料Ｐｄ２の残光輝度特性の第１時間Ｔ１での傾きｄａ１を、補正第一部輝度予測線ＣＢｐ１に当てはめることにより、対象蓄光材料Ｐｄ２（その残光輝度特性）における第３時間Ｔ３と第１時間Ｔ１との輝度逆数値の変化量ｄｄ３を求める（図１５参照）。また、ステップＳ３３で取得した対象蓄光材料Ｐｄ２から得た残光輝度特性の第１時間Ｔ１での傾きｄａ１を、補正傾斜予測線ＣＡｐに当てはめることにより、対象蓄光材料Ｐｄ２（その残光輝度特性）における第３時間Ｔ３の傾きｄａ３を算出する（図１７参照）。
【０１３６】
ステップＳ３５では、ステップＳ３４での第３時間Ｔ３の傾きｄａ３および第３時間Ｔ３と第１時間Ｔ１との輝度逆数値の変化量ｄｄ３の取得に続き、第３時間Ｔ３での輝度逆数値ｄｒ３を求めて、ステップＳ３６へ進む。このステップＳ３５では、ステップＳ３４で求めた第３時間Ｔ３と第１時間Ｔ１との輝度逆数値の変化量ｄｄ３に、ステップＳ３３で取得した対象蓄光材料Ｐｄ２の第１時間Ｔ１での輝度逆数値ｄｒ１を加算することにより、対象蓄光材料Ｐｄ２の第３時間Ｔ３での輝度逆数値ｄｒ３を求める。
【０１３７】
ステップＳ３６では、ステップＳ３５での第３時間Ｔ３での輝度逆数値ｄｒ３を求めることに続き、第２時間Ｔ２と第３時間Ｔ３との輝度逆数値の変化量ｄｄ４を求めて、ステップＳ３７へ進む。このステップＳ３６では、ステップＳ３４で求めた第３時間Ｔ３の傾きｄａ３を、ステップＳ３１で設定された第２時間Ｔ２に対応する第二部輝度予測線Ｂｐ２に当てはめることにより、対象蓄光材料Ｐｄ２（その残光輝度特性）における第２時間Ｔ２と第３時間Ｔ３との輝度逆数値の変化量ｄｄ４を算出する（図１６、図１８および図１９参照）。ここで、ステップＳ３１で選択された第２時間Ｔ２に適合する第二部輝度予測線Ｂｐ２とは、第２時間Ｔ２が９０分とされた場合は第二部輝度予測線Ｂｐ２（９０）（図１６参照）であり、第２時間Ｔ２が６０分とされた場合は第二部輝度予測線Ｂｐ２（６０）（図１８参照）であり、第２時間Ｔ２が２０分とされた場合は第二部輝度予測線Ｂｐ２（２０）（図１９参照）である。
【０１３８】
ステップＳ３７では、ステップＳ３６での第２時間Ｔ２と第３時間Ｔ３との輝度逆数値の変化量ｄｄ４の算出に続き、輝度予測値ＣＰを算出して、第２残光輝度算出制御処理を終了する。このステップＳ３７では、ステップＳ３６で求めた対象蓄光材料Ｐｄ２（その残光輝度特性）における第２時間Ｔ２と第３時間Ｔ３との輝度逆数値の変化量ｄｄ４に、ステップＳ３５で求めた対象蓄光材料Ｐｄ２の第３時間Ｔ３での輝度逆数値ｄｒ３を加算し、そこで得た輝度逆数値を逆数とすることにより、輝度予測値ＣＰを算出する。この輝度逆数値を逆数としたものは、第二部輝度予測線Ｂｐ２から得た対象蓄光材料Ｐｄ２の第２時間Ｔ２の輝度となるので、当該輝度が対象蓄光材料Ｐｄ２の第２時間Ｔ２における残光輝度としての輝度予測値ＣＰとなる。なお、ステップＳ３７では、この算出した輝度予測値ＣＰを適宜記憶部２２に格納し、かつ測定結果として輝度予測値ＣＰを適宜表示部１２に適宜表示させる。
【０１３９】
この輝度測定装置１０Ｃでは、使用者が操作部１４において第２時間Ｔ２を設定し、筐体１１の下面の遮光用ゴム１７（図１（ｂ）参照）を対象蓄光材料Ｐｄ２に宛がって当該対象蓄光材料Ｐｄ２に受光部１５（図１（ｂ）参照）を対向させた状態において、操作部１４に残光輝度の算出を実行する旨の操作を行うと、図２１のフローチャートにおいてステップＳ３１→ステップＳ３２→ステップＳ３３→ステップＳ３４→ステップＳ３５へと進むことにより、対象蓄光材料Ｐｄ２の第１時間Ｔ１の各測定値を補正傾斜予測線ＣＡｐ（図１７参照）および補正第一部輝度予測線ＣＢｐ１（図１５参照）を用いて第３時間Ｔ３における数値に変換した後、ステップＳ３６→ステップＳ３７へと進むことにより、第３時間Ｔ３における数値から第二部輝度予測線Ｂｐ２（図１６、図１８および図１９参照）を用いて当該対象蓄光材料Ｐｄ２の第２時間Ｔ２における残光輝度としての輝度予測値ＣＰを算出することができる。
【０１４０】
実施例３の輝度測定装置１０Ｃでは、基本的に実施例１の輝度測定装置１０と同様の構成であることから、基本的に実施例１と同様の効果を得ることができる。
【０１４１】
それに加えて、輝度測定装置１０Ｃでは、第３時間予測線補正を行うことにより、対象蓄光材料Ｐｄ２とは異なる材質（性質）の標準蓄光材料Ｐｂに対応して求められた第一部輝度予測線Ｂｐ１および傾斜予測線Ａｐを、対象蓄光材料Ｐｄ２と等しい材質（性質）の補正用蓄光材料Ｐｃに対応する補正第一部輝度予測線ＣＢｐ１および補正傾斜予測線ＣＡｐとすることができるので、標準蓄光材料Ｐｂとは異なる材質の対象蓄光材料Ｐｄ２であっても、適切な残光輝度（輝度予測値ＣＰ）を得ることができる。
【０１４２】
また、輝度測定装置１０Ｃでは、第３時間予測線補正において、測定結果として残光輝度（輝度予測値ＣＰ）を得ることのできる所望の時間として設定した第２時間Ｔ２よりも短い第３時間Ｔ３の補正用測定作業を１回行うだけで良いことから、より簡易な補正用測定作業で、標準蓄光材料Ｐｂとは異なる材質の対象蓄光材料Ｐｄ２であっても適切な残光輝度（輝度予測値ＣＰ）を得ることができる。
【０１４３】
さらに、輝度測定装置１０Ｃでは、補正第一部輝度予測線ＣＢｐ１が、蓄光材料の材質が異なることに起因して変化する第一部輝度予測線（輝度予測線）において、第３時間Ｔ３と第１時間Ｔ１との輝度逆数値の変化量（第３時間Ｔ３の残光輝度に基づく第３要素で示す値）における差異すなわち図１５のグラフにおける縦軸方向での差が、補正用蓄光材料Ｐｃから得た輝度逆数値に基づいて補正されたものであることから、従来技術の第１の時刻から第２の時刻までの短い測定時間で設定時間における残光輝度を測定する輝度測定装置に比較して、高い精度で輝度予測値ＣＰを算出することができる。
【０１４４】
輝度測定装置１０Ｃでは、補正傾斜予測線ＣＡｐが、蓄光材料の材質が異なることに起因して変化する傾斜予測線において、第３時間Ｔ３での傾き（第３時間Ｔ３の残光輝度に基づく第４要素で示す値）における差異すなわち図１７のグラフにおける縦軸方向での差が、補正用蓄光材料Ｐｃから得た輝度逆数値に基づいて補正されたものであることから、従来技術の第１の時刻から第２の時刻までの短い測定時間で設定時間における残光輝度を測定する輝度測定装置に比較して、高い精度で輝度予測値ＣＰを算出することができる。
【０１４５】
輝度測定装置１０Ｃでは、第３時間予測線補正制御において、標準蓄光材料Ｐｂとは異なる材質（性質）の補正用蓄光材料Ｐｃに対して、１回の補正用測定作業で補正第一部輝度予測線ＣＢｐ１および補正傾斜予測線ＣＡｐを求め、それらを適宜第二部輝度予測線Ｂｐ２（９０）、第二部輝度予測線Ｂｐ２（６０）、第二部輝度予測線Ｂｐ２（２０）うちの第２時間Ｔ２として選択された時間に対応するものに当てはめるものであることから、第３時間予測線補正のための演算を簡易なものとすることができる。
【０１４６】
輝度測定装置１０Ｃでは、標準蓄光材料Ｐｂとは異なる材質（性質）の補正用蓄光材料Ｐｃに対して、第２時間Ｔ２よりも短く設定された第３時間Ｔ３での１回の補正用測定作業で、補正用蓄光材料Ｐｃに等しい性質の蓄光材料の残光輝度としての輝度予測値ＣＰの高い精度での算出を可能とするものであることから、補正用測定作業をより簡易なものとすることができる。
【０１４７】
したがって、実施例３の輝度測定装置１０Ｃでは、設定時間の自由度を高めつつ、短い測定時間で設定時間における残光輝度を高い精度で得ることができる。
【０１４８】
なお、上記した実施例３では、第３時間予測線補正制御処理内容を示す図２０のフローチャートのステップＳ２２およびステップＳ２３と、第２残光輝度算出制御処理内容を示す図２１のフローチャートのステップＳ３３と、において、第１時間Ｔ１もしくは第３時間Ｔ３の前後の複数の時点の輝度を取得して第１時間Ｔ１もしくは第３時間Ｔ３の傾きを求めるものとしていたが、第１時間Ｔ１もしくは第３時間Ｔ３の前の複数の時点の輝度から求めるものであってもよく、第１時間Ｔ１もしくは第３時間Ｔ３の後の複数の時点の輝度から求めるものであってもよく、適宜設定すればよい。
【０１４９】
また、上記した実施例３では、単一の標準蓄光材料Ｐｂのみについて説明したが、実施例１および実施例２と同様に、複数の標準蓄光材料Ｐｂ（一例として標準蓄光材料ＰｂＡ、標準蓄光材料ＰｂＢおよび標準蓄光材料ＰｂＣ（図７から図９参照））が用意されているものであってもよく、上記した実施例３に限定されるものではない。この場合、各標準蓄光材料Ｐｂ（標準蓄光材料ＰｂＡ、標準蓄光材料ＰｂＢおよび標準蓄光材料ＰｂＣ）に対して、輝度予測線Ｂｐとしての第一部輝度予測線Ｂｐ１および第二部輝度予測線Ｂｐ２と、傾斜予測線Ａｐと、を制御部２１の記憶部２２に予め格納するとともに、それぞれの第一部輝度予測線Ｂｐ１から補正第一部輝度予測線ＣＢｐ１を求めるとともに、傾斜予測線Ａｐから補正傾斜予測線ＣＡｐを求める第３時間予測線補正制御を行うことを可能とすればよい。
【０１５０】
なお、上記した各実施例では、本発明に係る輝度測定装置の一例としての輝度測定装置１０、１０Ｂ、１０Ｃについて説明したが、輝度の取得のための受光部と、該受光部で取得した輝度から所定の時間が経過した後の残光輝度を算出する演算部と、該演算部での残光輝度の算出のためのプログラムを格納する記憶部と、を備える輝度測定装置であって、標準蓄光材料の遮光を開始した標準遮光時刻を基準とした時間に対する前記標準蓄光材料からの残光輝度に基づく値の相関関係を示す特性線として、少なくとも、所定の励起照度で励起した前記標準蓄光材料から得た第１標準特性線と、該第１標準特性線とは異なる所定の励起照度で励起した前記標準蓄光材料から得た第２標準特性線と、を用い、前記記憶部には、前記第１標準特性線における前記標準遮光時刻を基準とする第１時間の残光輝度に基づく第１要素で示す値と前記標準遮光時刻を基準として前記第１時間よりも大きい第２時間の残光輝度に基づく第２要素で示す値とで表すことのできる第１準輝度点と、前記第２標準特性線における前記第１時間の残光輝度に基づく前記第１要素で示す値と前記第２時間の残光輝度に基づく前記第２要素で示す値とで表すことのできる第２準輝度点と、を含む直線式としての輝度予測線が格納され、前記演算部は、測定対象とする対象蓄光材料の遮光を開始した測定開始時刻を基準とする前記第１時間における前記対象蓄光材料の残光輝度を前記受光部から取得すると、取得した残光輝度に基づく前記第１要素で示す値を前記輝度予測線に当てはめることで、前記対象蓄光材料の前記測定開始時刻を基準とする前記第２時間での残光輝度としての輝度予測値を算出する輝度測定装置であればよく、上記した各実施例に限定されるものではない。
【０１５１】
また、上記した各実施例では、第１時間Ｔ１および第２時間Ｔ２（実施例３では第３時間Ｔ３も）を予め設定し、それらに対応する第１標準特性線Ｐ１および第２標準特性線Ｐ２での各値から求めた輝度予測線Ｂｐ（実施例３では第一部輝度予測線Ｂｐ１、第二部輝度予測線Ｂｐ２および傾斜予測線Ａｐ）を予め記憶部２２に格納するものとされていたが、第１標準特性線Ｐ１および第２標準特性線Ｐ２自体を記憶部２２に格納するとともに、そこから上記したように輝度予測線Ｂｐ（実施例３では第一部輝度予測線Ｂｐ１、第二部輝度予測線Ｂｐ２および傾斜予測線Ａｐ）を求めるプログラムを記憶部２２に格納する構成としてもよい。このような構成とすれば、第１時間Ｔ１および第２時間Ｔ２（実施例３では第３時間Ｔ３も）を使用者が自由に設定することができるので、さらに使い勝手を向上させることができる。
【０１５２】
さらに、上記した各実施例では、対象蓄光材料Ｐｄもしくは対象蓄光材料Ｐｄ２の測定を行う時間である第１時間Ｔ１として、１分（６０秒）のみを設定していたが、第２時間Ｔ２と同様に複数の設定とするものであってもよく、上記した各実施例に限定されるものではない。
【０１５３】
以上、本発明の輝度測定装置を各実施例に基づき説明してきたが、具体的な構成については各実施例に限られるものではなく、本発明の要旨を逸脱しない限り、設計の変更や追加等は許容される。
【符号の説明】
【０１５４】
１０、１０Ｂ、１０Ｃ  輝度測定装置
１５  受光部
２２  記憶部
２３  演算部
Ａｐ  傾斜予測線
ｂ１  第１準輝度点
ｂ２  第２準輝度点
ｂ３  第３準輝度点
ｂ４  第４準輝度点
ｂ５  第５準輝度点
ｂ６  第６準輝度点
ｂ７  第７準輝度点
ｂ８  第８準輝度点
Ｂｐ（ＢｐＡ、ＢｐＢ、ＢｐＣ）  輝度予測線
Ｂｐ１  第一部輝度予測線
Ｂｐ２  第二部輝度予測線
Ｃ  予測線補正点
Ｃ２  第一部輝度予測線補正点
Ｃ３  傾斜予測線補正点
ＣＡｐ  補正傾斜予測線
ＣＢｐ  補正輝度予測線
ＣＢｐ１  補正第一部輝度予測線
ＣＰ  輝度予測値
Ｐ１  第１標準特性線
Ｐ２  第２標準特性線
Ｐｂ（ＰｂＡ、ＰｂＢ、ＰｂＣ）  標準蓄光材料
Ｐｃ  補正用蓄光材料
Ｐｄ、Ｐｄ２  対象蓄光材料
Ｔ１  第１時間
Ｔ２  第２時間
Ｔ３  第３時間
Ｔｃ  補正作業開始時刻
Ｔｍ  測定開始時刻
Ｔｓ  標準遮光時刻
【図１】
2013164276.tif 000003
【図２】
2013164276.tif 000004
【図３】
2013164276.tif 000005
【図４】
2013164276.tif 000006
【図５】
2013164276.tif 000007
【図６】
2013164276.tif 000008
【図７】
2013164276.tif 000009
【図８】
2013164276.tif 000010
【図９】
2013164276.tif 000011
【図１０】
2013164276.tif 000012
【図１１】
2013164276.tif 000013
【図１２】
2013164276.tif 000014
【図１３】
2013164276.tif 000015
【図１４】
2013164276.tif 000016
【図１５】
2013164276.tif 000017
【図１６】
2013164276.tif 000018
【図１７】
2013164276.tif 000019
【図１８】
2013164276.tif 000020
【図１９】
2013164276.tif 000021
【図２０】
2013164276.tif 000022
【図２１】
2013164276.tif 000023